(57)【特許請求の範囲】
【請求項１】
災害情報の受信後の無線端末からの位置登録信号に応答して被災に関する前記無線端末の位置情報を含む前記無線端末の安否情報を生成し、前記安否情報をマルチキャスト・グループ宛てにマルチキャストで送信する第１の情報処理装置と、
前記災害情報の受信に応答して、前記第１の情報処理装置のアドレスに基づくマルチキャスト配信への参加信号を送信する第２の情報処理装置と、
を含む通信システム。
【請求項２】
前記第２の情報処理装置は、前記安否情報を受信して記憶し、別の端末からの要求に応答して前記安否情報を前記別の端末に送信するものであることを特徴とする、請求項１に記載の通信システム。
【請求項３】
前記位置情報は、前記無線端末の位置が被災区域内に位置するかどうかを示す情報を含むものであることを特徴とする、請求項１または２に記載の通信システム。
【請求項４】
前記第１の情報処理装置は、前記無線端末との通信を中継する無線基地局の近隣の測定位置における災害の大きさを、他の装置から受信して、区域毎の前記災害の大きさに応じて被災区域を決定するものであることを特徴とする、請求項３に記載の通信システム。
【請求項５】
前記安否情報は、前記無線端末による前記第１の情報処理装置における別の安否情報へのアクセスの有無を含むものであることを特徴とする、請求項１乃至４のいずれかに記載の通信システム。
【請求項６】
コンピュータが、
災害情報の受信に応答して、別の情報処理装置のアドレスに基づくマルチキャスト配信への参加信号を送信し、
前記災害情報の受信後の無線端末からの位置登録信号に応答して被災に関する前記無線端末の位置情報を含む前記無線端末の安否情報を生成し、前記安否情報をマルチキャスト・グループ宛てにマルチキャストで送信する
処理を実行する通信方法。
【発明の詳細な説明】
【技術分野】
【０００１】
本発明は、通信システム、および通信方法に関する。
【背景技術】
【０００２】
プロトコルＴＣＰ／ＩＰにおけるデータの送信形態には、ユニキャスト、ブロードキャストおよびマルチキャストがある。ここで、ＴＣＰ／ＩＰは、ＴＣＰ（Transmission Control Protocol）とＩＰ（Internet Protocol）の組合せを表す。ユニキャストは、ネットワークにおいて１対１でデータを送信する形態である。ブロードキャストは、ネットワークにおいて１対多でデータを送信する形態である。マルチキャストは、ネットワークにおいて１つの端末から特定グループの端末にデータを送信する形態である。
【０００３】
マルチキャストは、複数のホストをグループ化しＩＰアドレスを付与することによって、グループの端末への一斉同報通信を可能とする。この場合、ホストは、宛先のＭＡＣ（Media Access Control）アドレスが参加（join）しているグループのＭＡＣアドレスであればマルチキャスト・データを受け取る。ホストは、マルチキャストのグループに参加するために、参加（join）メッセージをルータに送信する。ルータは、受信した参加メッセージをグループ管理用のテーブルの情報に反映させ、ホストをグループに参加させる。その後、ルータは、ホストが未だグループに参加しているかどうかをＩＧＭＰ（Internet Group Management Protocol）クエリ（問合せ）で定期的に確認する。また、ルータは、グループからの離脱を表す離脱または脱退（leave）メッセージをホストから受信した場合に、テーブルからそのホストの情報を削除する。そのプロトコルは、ＲＣＦ(Request For Comments memoranda)−３３７６のインターネット・グループ・マネジメント・プロトコル、バージョン３、およびＲＦＣ−３８１０のＩＰｖ６用のマルチキャスト・リスナー・ディスカバリ、バージョン２で規定されている。
【０００４】
既知の安否確認機能を備えたサーバ装置は、利用者の利用者情報とその安否の連絡先情報をそれぞれ利用者情報データベースおよび連絡先情報データベースに予め登録する。サーバ装置は、緊急情報が発生した場合に、安否確認対象エリアを特定してこのエリアに存在する利用者の携帯端末に向けて安否確認メールを送信する。サーバ装置は、さらに、利用者からの返信メールの受信を監視して、その受信状況に基づいて安否確認情報を作成し、安否確認情報を安否確認情報データベースに記憶すると共に、連絡先情報データベースに登録された連絡先へ配信する。それによって、災害発生時において被災者の安否の確認が効率良く行われ、それにより通信ネットワークのトラフィックの増大が効果的に抑圧できる。
【０００５】
既知の安否確認システムでは、災害の発生が検出されると、センタ局が、災害状況から予想される通信の輻輳の規模を予測して、予め決められたアクセス制限動作仕様に基づいてアクセス制限のレベルを決定し、そのアクセス制限情報を衛星などを介して通信が輻湊する可能性のある被災地域にブロードキャストする。被災地領域での被災領域情報端末では、受信したアクセス制限レベルに応じたデータ量の安否情報を生成して送信する。この安否情報は安否確認サーバや防災対策本部のデータベース等に格納され、被災地域外の情報端末が、この安否確認サーバから安否情報を、ネットワークを介して取得でき、被災地域での安否を確認することが可能になる。それによって、通信の輻輳の発生を防止して、被災地域での安否確認情報を収集することが、可能になる。
【先行技術文献】
【特許文献】
【０００６】
【特許文献１】特開２００３−１８６９８０号公報
【特許文献２】特開２００４−２９７１３１号公報
【発明の概要】
【発明が解決しようとする課題】
【０００７】
既知のシステムでは、例えば地震のような広域で災害が発生した場合、被災地域にいる安否確認対象者の安否情報を保存するセンタは、安否情報要求者の端末から集中的に多数のアクセスを受けて、センタとその近傍のネットワークが輻輳する。また、センタが被災地にある場合、安否情報へのアクセスが不可能になる。
【０００８】
発明者は、災害発生時におけるネットワークの輻輳の発生を抑制しつつ、安否確認者の端末が、情報処理装置上の安否確認対象者の安否情報にアクセスできるようにする必要があると、認識した。
【０００９】
１つの観点では、本発明の目的は、ネットワークの輻輳の発生を抑制しつつ、安否情報を効率的に送受信できるようにすることである。
【課題を解決するための手段】
【００１０】
本発明の一態様によれば、災害情報の受信後の無線端末からの位置登録信号に応答して被災に関する無線端末の位置情報を含む無線端末の安否情報を生成し、安否情報をマルチキャスト・グループ宛てにマルチキャストで送信する第１の情報処理装置と、災害情報の受信に応答して、第１の情報処理装置のアドレスに基づくマルチキャスト配信への参加信号を送信する第２の情報処理装置と、を含む通信システムが提供される。
【発明の効果】
【００１１】
本発明の一観点によれば、ネットワークの輻輳の発生を抑制しつつ、安否情報を効率的に送受信することが可能である。
【図面の簡単な説明】
【００１２】
【図１】図１は、実施形態によるネットワーク上の、ルータ、災害警報用のサーバ、ホーム加入者サーバ（ＨＳＳ）、組織のサーバ、および無線基地局を含む通信システムの概略的構成（configuration）の例を示している。
【図２】図２は、第１のＨＳＳでの安否情報の登録、第２のＨＳＳによる安否通知への参加メッセージの送信、および第１のＨＳＳによる安否情報通知メッセージの第２のＨＳＳへのマルチキャストでの配信を含む通信手順の例を説明するための図である。
【図３】図３は、ホーム加入者サーバの概略的な構成（configuration）の例を示している。
【図４】図４は、組織のサーバの概略的な構成（configuration）の例を示している。
【図５】図５は、無線端末の概略的な構成（configuration）の例を示している。
【図６】図６は、ホーム加入者サーバのプロセッサの概略的な構成（configuration）の例を示している。
【図７】図７は、組織のサーバのプロセッサの概略的な構成（configuration）の例を示している。
【図８】図８は、無線端末のプロセッサの概略的な構成（configuration）の例を示している。
【図９Ａ】図９Ａおよび９Ｂは、無線端末、ホーム加入者サーバ（ＨＳＳ）、およびルータの間での送受信シーケンスの例を示している。
【図９Ｂ】(図9Aで説明)
【図１０Ａ】図１０Ａ〜１０Ｄは、図９Ｂの後の、無線端末、ホーム加入者サーバ（ＨＳＳ）、およびルータの間での送受信シーケンスの例を示している。
【図１０Ｂ】(図10Aで説明)
【図１０Ｃ】(図10Aで説明)
【図１０Ｄ】(図10Aで説明)
【図１１】図１１は、無線端末において生成されて保存される無線端末のデータの例を示している。
【図１２】図１２は、ＨＳＳにおける無線端末の加入者データの例を示している。
【図１３】図１３は、ＨＳＳにおける他者安否情報テーブルの例を示している。
【図１４】図１４Ａは、ＨＳＳまたは組織のサーバにおける安否通知離脱条件テーブルの例を示している。図１４Ｂは、ＨＳＳまたは組織のサーバにおける安否通知離脱条件テーブルの別の例を示している。
【図１５】図１５は、災害警報用のサーバにおける震度情報テーブルの例を示している。
【図１６】図１６は、ＨＳＳにおけるＡＰ近隣震度計リストの例を示している。
【図１７】図１７は、各無線端末から、対応のＨＳＳに送信される避難状況登録メッセージの例を示している。
【図１８】図１８Ａは、各ＨＳＳから災害警報用のサーバに送信される問合せメッセージの例を示している。図１８Ｂは、問合せメッセージに対して、災害警報用のサーバから各無線端末に送信される応答メッセージの例を示している。
【図１９】図１９Ａは、各無線端末から対応の各ＨＳＳに送信される他者安否参照メッセージの例を示している。図１９Ｂは、他者安否参照メッセージに対する、各ＨＳＳから各無線端末に送信される応答メッセージの例を示している。
【図２０】図２０は、安否確認対象者の無線端末が登録されたＨＳＳから、安否確認者の無線端末が登録されたＨＳＳまたは組織のサーバにマルチキャストで送信される安否通知メッセージの例を示している。
【図２１】図２１は、安否確認者の無線端末が登録されているＨＳＳおよび組織のサーバによって、安否確認対象者の無線端末が登録されているＨＳＳに送信される安否通知参加メッセージ（ＭＬＤ−ｊｏｉｎ）の例を示している。
【図２２】図２２は、安否確認者の無線端末が登録されているＨＳＳおよび組織のサーバによって、安否確認対象者の無線端末が登録されているＨＳＳに送信される安否通知離脱メッセージ（ＭＬＤ−ｌｅａｖｅ）の例を示している。
【図２３】図２３は、災害警報の受信時に、ＨＳＳによって実行される、安否通知参加メッセージを送信するための処理のフローチャートの例を示している。
【図２４】図２４は、安否確認者の組織のサーバによって実行される、安否通知参加メッセージを送信するための処理のフローチャートの例を示している。
【図２５】図２５は、ＨＳＳによって実行される、安否通知参加メッセージを受信した場合に安否通知参加の有無を設定するための処理のフローチャートの例を示している。
【図２６】図２６は、安否確認対象者の無線端末によって実行される位置登録メッセージの生成および送信のための処理のフローチャートの例を示している。
【図２７Ａ】図２７Ａおよび２７Ｂは、安否確認対象者の無線端末が登録されたＨＳＳによって実行される、被災に関する無線端末の位置情報を設定するための処理のフローチャートの例を示している。
【図２７Ｂ】(図27Aで説明)
【図２８】図２８は、安否確認対象者の無線端末によって実行される避難状況登録メッセージの生成および送信のための処理のフローチャートの例を示している。
【図２９】図２９は、ＨＳＳによって実行される安否通知メッセージの送信のための処理のフローチャートの例を示している。
【図３０】図３０は、安否通知メッセージの受信時にＨＳＳまたは組織のサーバによって実行される、安否通知メッセージの受信時に安否通知グループから離脱するかどうかを判定するための処理のフローチャートの例を示している。
【図３１】図３１は、ＨＳＳによって実行される、安否通知離脱メッセージの受信時の処理のフローチャートの例を示している。
【図３２】図３２は、無線端末および端末装置によって実行される、他者安否参照のための処理のフローチャートの例を示している。
【図３３Ａ】図３３Ａおよび３３Ｂは、図９Ａの送受信シーケンスにおける時間Ｔ１での、安否確認対象者の無線端末、ＨＳＳ、および組織のサーバのデータの例を示している。
【図３３Ｂ】(図33Aで説明)
【図３４Ａ】図３４Ａおよび３４Ｂは、図９Ａの送受信シーケンスにおける時間Ｔ２での、安否確認対象者の無線端末、ＨＳＳ、および組織のサーバのデータの例を示している。
【図３４Ｂ】(図34Aで説明)
【図３５Ａ】図３５Ａおよび３５Ｂは、図９Ｂの送受信シーケンスにおける時間Ｔ３での、安否確認対象者の無線端末およびＨＳＳ、および組織のサーバのデータの例を示している。
【図３５Ｂ】(図35Aで説明)
【図３６Ａ】図３６Ａおよび３６Ｂは、図１０Ａの送受信シーケンスにおける時間Ｔ４〜Ｔ５での、安否確認対象者の無線端末、ＨＳＳ、および組織のサーバのデータの例を示している。
【図３６Ｂ】(図36Aで説明)
【図３７Ａ】図３７Ａおよび３７Ｂは、図１０Ｂおよび１０Ｃの送受信シーケンスにおける時間Ｔ６〜Ｔ７での、安否確認対象者の無線端末、ＨＳＳ、および組織のサーバのデータの例を示している。
【図３７Ｂ】(図37Aで説明)
【図３８Ａ】図３８Ａおよび３８Ｂは、図１０Ｄの送受信シーケンスにおける時間Ｔ８〜Ｔ９での、安否確認対象者の無線端末、ＨＳＳ、および組織のサーバのデータの例を示している。
【図３８Ｂ】(図38Aで説明)
【発明を実施するための形態】
【００１３】
発明の目的および利点は、請求の範囲に具体的に記載された構成要素および組み合わせによって実現され達成される。
前述の一般的な説明および以下の詳細な説明は、典型例および説明のためのものであって、本発明を限定するためのものではない、と理解される。
【００１４】
本発明の非限定的な実施形態を、図面を参照して説明する。図面において、同様のコンポーネントおよび要素には同じ参照番号が付されている。
【００１５】
既知の安否確認のためのシステムでは、個々の組織用のサーバが組織の各メンバーの端末装置に対して安否情報送信の要請を行い、各メンバーが要請に応じてまたは自主的に端末装置で安否情報をサーバに登録することによって、安否情報がサーバで収集される。一方、被災地域内で安否情報を登録する者は、例えば、会社、公共団体、家族、自治会などの複数の組織に属しており、それぞれの組織に安否情報を通知することが求められる。従って、個人が属する組織の数が多い場合、安否情報を登録する者にとって安否情報の登録のための端末装置の作業および通信量がより多くなり、災害発生時にネットワークのトラフィックが増大して、ネットワークが輻輳する可能性が高くなる。
【００１６】
発明者は、安否確認対象者の無線端末の加入者情報を管理するサーバが、安否確認対象者の無線端末から位置情報を受信して安否情報を生成して保存し、安否情報をマルチキャストで効率的に送信することができる、と認識した。また、発明者は、安否確認者の無線端末の加入者情報を管理する別のサーバが、マルチキャスト配信に参加して特定の安否確認対象者の安否情報を受信して選択的に保存し、安否確認者の無線端末が安否情報にアクセスすることができる、と認識した。
【００１７】
実施形態の目的は、ネットワークでの輻輳の発生を抑えつつ、安否確認対象者の無線端末に対応するサーバで安否情報を生成し、安否確認者の無線端末に対応するサーバで安否情報を収集し、収集した安否情報に安否確認者がアクセスできるようにすることである。この目的は、実施形態によって達成することができる。
【００１８】
次は、実施形態による通信システムの概略的な構成（configuration）を説明する。
【００１９】
図１は、実施形態によるネットワーク５上の、ルータ２６および２８、災害警報用のサーバ２、ホーム加入者サーバ１１〜１９、組織Ｘのサーバ２１、および無線基地局３１〜４０を含む通信システム１の概略的構成（configuration）の例を示している。ここで、通信システム１は、さらに、安否確認者の無線端末５１〜５３および端末装置６０と、安否確認対象者の無線端末５４〜５９とを含んでいる。
【００２０】
図１において、ネットワーク５は、例えば、ＩＰ（Internet Protocol）ネットワークおよび移動体通信網を含んでいる。ネットワーク５は、例えば、さらに、ＩＳＤＮ（Integrated Services Digital Network）、光回線、ＤＳＬ（Digital Subscriber Line）、パケット網、公衆電話網、および／またはＣＡＴＶ（Cable Television）網を含んでいてもよい。無線基地局３１〜４０は、無線基地局装置であり、例えば、第３世代または第４世代の移動体通信用の基地局（アクセスポイント）装置であっても、または無線ＬＡＮの無線基地局であってもよい。
【００２１】
ルータ２６および２８の各々は、１つ以上のルータを集合的に表したものである。ホーム加入者サーバ１１〜１９は、ネットワーク５上の任意の位置に配置されている。ホーム加入者サーバ１１〜１３は、ネットワーク５上のルータ２６に接続されているものとする。また、ホーム加入者サーバ１４〜１９は、ネットワーク５上のルータ２８に接続されているものとする。無線基地局３１〜３７、および３９は、それぞれ、任意にルータ（図示せず）を介して、ホーム加入者サーバ１１〜１９に接続される。また、無線基地局３８および４０は、それぞれ、任意にルータ（図示せず）を介して、ホーム加入者サーバ１７および１９に接続される。ホーム加入者サーバは、例えば、規格ＲＣＦ６２７５のＭｏｂｉｌｅ ＩＰｖ６で規定されたホーム・エージェントを実行するノードのサーバであってもよく、以下でＨＳＳとも称される。また、無線基地局は、以下でＡＰとも称される。
【００２２】
無線端末５１〜５９は、移動端末であり、例えば、携帯電話機、スマートフォン、タブレット型またはノートブックのパーソナル・コンピュータのようなモバイル型の情報処理端末であってもよい。端末装置６０は、例えば、タブレット型またはノートブックのパーソナル・コンピュータのような情報処理端末であってもよい。
【００２３】
無線端末５１〜５９は、それぞれ無線基地局３１〜３７および３９の通信可能範囲内にあって無線基地局３１〜３７および３９と通信する。無線端末５７および５９は、災害発生後に、それぞれ無線基地局３８および４０の通信可能範囲内に移動して無線基地局３８および４０と通信する。組織Ｘの端末装置６０は、任意にルータ（図示せず）を介して、サーバ２１に接続される。
【００２４】
ホーム加入者サーバ（ＨＳＳ）１１〜１９は、担当するそれぞれの無線端末５１〜５９の加入者データを管理し、例えば、担当するそれぞれの無線端末５１〜５９が無線基地局３１〜４０等のいずれに位置するかを管理する。
【００２５】
安否確認者Ａ１〜Ａ３は、ホーム加入者サーバ１１〜１３にそれぞれ登録された無線端末５１〜５３に関する移動体通信サービスの加入者であるものとする。また、安否確認対象者Ｂ１〜Ｂ３、Ｃ１およびＣ２は、ホーム加入者サーバ１４〜１９にそれぞれ登録された無線端末５４〜５９に関する移動体通信サービスの加入者であるものとする。組織Ｘは、例えば、会社、公共団体、同窓会、同好会、家族、または自治会、等であってもよい。安否確認対象者Ｂ１は、さらに、組織Ｘのメンバーであるものとする。組織Ｘの端末装置６０は、ネットワーク５上のサーバ２１に接続される。
【００２６】
無線端末５１〜５９は、共に同様の機能を有し、同様の形態で動作する。しかし、以下では、説明上、無線端末５１〜５３を所持する加入者は、安否確認者であるが、安否確認対象者ともなり得るものとし、無線端末５４〜５９を所持する加入者は、安否確認対象者であるが、安否確認者ともなり得るものとする。
【００２７】
また、ホーム加入者サーバ１１〜１９は、共に同様の機能を有し、同様の形態で動作する。説明上、ホーム加入者サーバ１１〜１３およびサーバ２１が、ホーム加入者サーバ１４〜１９から配信された無線端末５４〜５９の加入者の安否情報を受信し収集し記憶して、無線端末５１〜５３および端末装置６０に対して安否情報を提供するものとする。しかし、ホーム加入者サーバ１１〜１３は、無線端末５１〜５３から位置登録要求を受信して無線端末５１〜５３の加入者の安否情報を生成し記憶してホーム加入者サーバ１４〜１９およびサーバ２１に配信することもできるものとする。また、説明上、ホーム加入者サーバ１４〜１９が、無線端末５４〜５９から位置登録要求を受信して無線端末５４〜５９の加入者の安否情報を生成し記憶してホーム加入者サーバ１１〜１３およびサーバ２１に配信するものとする。しかし、ホーム加入者サーバ１４〜１９は、ホーム加入者サーバ１１〜１３から配信された無線端末５１〜５３の加入者の安否情報を受信し収集し記憶して、無線端末５４〜５９および端末装置６０に対して安否情報を提供することもできるものとする。
【００２８】
安否確認対象者の無線端末５４および５５は、災害発生時に被災区域７外に位置する。また、安否確認対象者の無線端末５６〜５９は、災害発生時に被災区域７内に位置する。また、安否確認対象者の無線端末５７は、災害発生後に被災区域７（破線）内で移動するものとする。安否確認対象者の無線端末５９は、災害発生後に被災区域７外に移動するものとする（破線）。
【００２９】
図１において、無線端末５１〜５３は、安否確認者の無線端末であることを示すために、それぞれａ１〜ａ３で識別される。端末装置６０は、安否確認者の端末装置であることを示すために、ａ４で識別される。また、無線端末５４、５６および５９は、安否確認対象者の無線端末であることを示すために、それぞれｂ１、ｂ２およびｂ３で識別される。また、無線端末５５および５７は、安否確認対象者の無線端末であり、災害発生後に電源オン状態になることを示すために、それぞれｃ１およびｃ２で識別される。
【００３０】
また、無線基地局３１〜３３は、安否確認者の無線端末５１〜５３の近隣にあって無線端末５４〜５９との通信を中継することを示すために、それぞれＡＰａ１〜ＡＰａ３で識別される。また、無線基地局３４、３５および４０は、安否確認対象者の無線端末５４、５５および５９の近隣にあり又は近隣となり無線端末５４、５３および５９との通信を中継することを示すために、それぞれＡＰｂ１、ＡＰｃ１およびＡＰｂ３で識別される。また、無線基地局３６〜３９は、安否確認対象者の無線端末５４〜５９の近隣にあって無線端末５４〜５９との通信を中継し、かつそれぞれの通信範囲が被災区域７内にあることを示すために、それぞれＡＰα〜ＡＰδで識別される。
【００３１】
また、ルータ２８は、安否確認対象者側のルータであることを示すためにｒ１で識別される。また、ルータ２６は、安否確認者側のルータであることを示すためにｒ２で識別される。また、ホーム加入者サーバ（ＨＳＳ）１１〜１３は、安否確認者の無線端末ａ１〜ａ３の加入者情報を管理するサーバ装置であることを示すために、それぞれＡ１〜Ａ３で識別される。また、ホーム加入者サーバ（ＨＳＳ）１４〜１９は、安否確認者の無線端末ｂ１、ｃ１、ｂ２、ｃ２、ｂ３の加入者情報を管理するサーバ装置であることを示すために、それぞれＢ１、Ｃ１、Ｂ２、Ｃ２、Ｂ３で識別される。サーバ２１は、組織Ｘの安否情報を収集することを示すために、Ｘで識別される。
【００３２】
次は、実施形態による、一例として、ＨＳＳ１６における安否情報の登録、ＨＳＳ１１による安否通知への参加メッセージの送信、およびＨＳＳ１６による安否情報通知メッセージのＨＳＳ１１へのマルチキャストでの配信を含む通信手順について説明する。
【００３３】
図２は、ＨＳＳ１６における安否情報の登録、ＨＳＳ１１による安否通知への参加メッセージの送信、およびＨＳＳ１６による安否情報通知メッセージのＨＳＳ１１へのマルチキャストでの配信を含む通信手順の例を説明するための図である。
【００３４】
図２において、例えば地震のような災害発生時に、安否確認対象者の無線端末５６（ｂ２）は、災害警報の受信に応答して位置登録メッセージを生成してＨＳＳ１６に送信して、ＨＳＳ１６に無線端末５６の位置情報を登録する。ここで、無線端末５６の加入者情報はＨＳＳ１６に登録されており、ＨＳＳ１６は、ネットワーク５上での無線端末５６の位置および移動に関係なく、無線端末５６の加入者データを管理する。ここで、加入者データは、例えば、端末識別子、端末アドレス、位置情報、安否情報（ｂ２）、等を含んでいる。
【００３５】
一方、災害発生時に、ＨＳＳ１１は、ルータ２６および２８を介して、特定の安否確認対象者の安否情報が登録されるＨＳＳ１６を送信元とする安否通知への参加メッセージを、ネットワーク５にマルチキャストで送信する。一方、ＨＳＳ１６は、無線端末５６から位置登録メッセージを受信して無線端末５６を所持する安否確認対象者の安否情報（ｂ２）を生成して保存する。また、ＨＳＳ１６は、安否情報（ｂ２）を含む安否通知メッセージを、マルチキャスト・グループ宛てにマルチキャストで配信または送信する。ＨＳＳ１１は、マルチキャストで送信された安否通知メッセージを受信して他者安否情報として保存する。その後、安否確認者の無線端末５１は、操作に従って、無線端末５１を担当するＨＳＳ１１に接続して、ＨＳＳ１１から他者安否情報を受信して表示する。
【００３６】
ＨＳＳ１１によって送信された安否通知への参加メッセージは、さらに、他の特定の安否確認対象者の安否情報が登録されるＨＳＳ１５および１７に送信されてもよい。一方、ＨＳＳ１５および１７は、ＨＳＳ１６と同様に、それぞれの加入者の安否情報を含む安否通知メッセージを、マルチキャスト・グループ宛てにマルチキャストで配信または送信する。ＨＳＳ１１は、同様に、ＨＳＳ１５および１７からマルチキャストで送信された安否通知メッセージを受信し収集して他者安否情報として保存する。その後、安否確認者の無線端末５１は、同様に、ＨＳＳ１１から他者安否情報を受信して表示する。
【００３７】
また、ＨＳＳ１２は、ＨＳＳ１１と同様に、ルータ２６および２８を介して、安否情報が登録されるＨＳＳ１６を送信元とする安否通知への参加メッセージを、ネットワーク５にマルチキャストで送信する。ＨＳＳ１２は、ＨＳＳ１６からマルチキャストで送信された安否通知メッセージを受信して他者安否情報として保存する。
【００３８】
また、ＨＳＳ１１は、同様に、無線端末５１から位置登録メッセージを受信して無線端末５１を所持する安否確認対象者の安否情報（ａ１）を生成して保存してもよい。一方、ＨＳＳ１６は、ＨＳＳ１１を送信元とする安否通知への参加メッセージを、ネットワーク５にマルチキャストで送信してもよい。また、ＨＳＳ１１は、安否情報（ａ１）を含む安否通知メッセージを、マルチキャスト・グループ宛てにマルチキャストで配信または送信してもよい。ＨＳＳ１６は、マルチキャストで送信された安否通知メッセージを受信して他者安否情報として保存してもよい。
【００３９】
このようなネットワーク５上でのマルチキャストによる安否情報のマルチキャスト配信、安否通知への参加、および安否情報の収集によって、ネットワーク５での安否情報の送受信が効率的に行われ、ネットワーク５での輻輳の発生が抑制される。
【００４０】
次は、ホーム加入者サーバ１１〜１９、組織Ｘのサーバ２１、および無線端末５１〜５９の概略的な構成（configurations）について説明する。
【００４１】
図３は、ホーム加入者サーバ１１〜１９の各々の概略的な構成（configuration）の例を示している。
【００４２】
図３において、ホーム加入者サーバ１１〜１９の各々は、内部バスに接続された、プロセッサ１０２、メモリ１０４、記憶装置１０６、およびネットワーク・インタフェース（ＮＷ／ＩＦ）１０８を含んでいる。ホーム加入者サーバ１１〜１９は、例えば、コンピュータ、サーバ装置、情報処理装置、または情報管理装置であってもよい。
【００４３】
プロセッサ１０２は、コンピュータ用のＣＰＵ（Central Processing Unit）であってもよい。メモリ１０４は、例えば、主記憶装置および半導体メモリを含んでいてもよい。記憶装置１０６は、ＳＤ（セキュア・ディジタル）メモリおよび／またはハードディスク・ドライブ（ＨＤＤ）を含んでいてもよい。
【００４４】
ホーム加入者サーバ１１〜１９の各々は、外付けドライブ１０８に接続可能であってもよい。ドライブ１０８は、ソフトウェアまたはプログラムが記録された例えば光ディスクまたは磁気ディスクのような記録媒体１８４を読み取るためのものであってもよい。そのソフトウェアは、例えば、ＯＳ、データベース管理システム（ＤＢＭＳ）、アプリケーション・プログラム、等を含んでいてもよい。アプリケーション・プログラムは、安否情報管理用のアプリケーションを含んでいてもよい。
【００４５】
プロセッサ１０２は、例えば集積回路として実装された専用のプロセッサであってもよい。また、プロセッサ１０２は、メモリ１０４および／または記憶装置１０６に格納されたＯＳおよびアプリケーション・プログラムに従って動作するものであってもよい。アプリケーション・プログラムは、記録媒体１８４に格納されていて、ドライブ１０８によって記録媒体１８４から読み出されてホーム加入者サーバ１１〜１９にインストールされてもよい。代替形態として、アプリケーション・プログラムは、ネットワーク５上の他のサーバからダウンロードされてホーム加入者サーバ１１〜１９にインストールされてもよい。
【００４６】
図４は、組織Ｘのサーバ２１の概略的な構成（configuration）の例を示している。
サーバ２１は、サーバ装置であり、ホーム加入者サーバ１１〜１９と同様に、内部バスに接続された、プロセッサ１０２、メモリ１０４、記憶装置１０６、およびネットワーク・インタフェース（ＮＷ／ＩＦ）１０８を含んでいる。サーバ２１は、例えば、コンピュータ、情報処理装置、または情報収集装置であってもよい。サーバ２１は、ホーム加入者サーバ１１〜１９と同様に、外付けドライブ１０８に接続可能であってもよい。
【００４７】
図５は、無線端末５１〜５９の各々の概略的な構成（configuration）の例を示している。
【００４８】
図５において、無線端末５１〜５９の各々は、内部バスに接続された、プロセッサ５０２、記憶部５０４、表示部５１２、音響部５１４、入力部５１６、制御部５１８、および無線通信部５２０を含んでいる。
【００４９】
プロセッサ５０２は、コンピュータ用のＣＰＵ（Central Processing Unit）であってもよい。記憶部５０４は、例えば、主記憶装置および半導体メモリ、ＳＤ（セキュア・ディジタル）メモリまたはＵＳＢメモリ等のフラッシュ・メモリのような他の半導体メモリを含み、さらに、ハードディスク・ドライブ（ＨＤＤ）を含んでいてもよい。
【００５０】
無線端末５１〜５９の各々は、外付けドライブ５３０に接続可能であってもよい。ドライブ５３０は、ソフトウェアまたはプログラムが記録された例えば光ディスクまたは磁気ディスクのような記録媒体５３６を読み取るためのものであってもよい。そのソフトウェアは、例えば、ＯＳ、データベース管理システム（ＤＢＭＳ）、アプリケーション・プログラム、等を含んでいてもよい。アプリケーション・プログラムは、安否情報登録処理および安否情報参照用のアプリケーションを含んでいてもよい。
【００５１】
プロセッサ５０２は、例えば集積回路として実装された専用のプロセッサであってもよい。また、プロセッサ５０２は、記憶部５０４に格納されたＯＳおよびアプリケーション・プログラムに従って動作するものであってもよい。アプリケーション・プログラムは、記録媒体５３６に格納されていて、ドライブ５３０によって記録媒体５３６から読み出されて無線端末５１〜５９にインストールされてもよい。代替形態として、アプリケーション・プログラムは、ネットワーク５上のサーバからダウンロードされて無線端末５１〜５９にインストールされてもよい。
【００５２】
表示部５１２は、例えば、液晶表示装置、またはタッチパネル付き液晶表示装置であってもよい。音響部５１４は、例えば、マイクロホン、スピーカ、およびレシーバを含んでいてもよい。入力部５１６は、例えば、複数のキー、タッチパッド、テンキー、キーボード、タッチパネル、および／またはポインティング・デバイスを含んでいてもよい。
【００５３】
制御部５１８は、無線通信部５２０を制御してもよい。無線通信部５２０は、移動体通信用の無線基地局３１〜４０を介してネットワーク５に接続することができる。
【００５４】
図６は、ホーム加入者サーバ１１〜１９のプロセッサ１０２の概略的な構成（configuration）の例を示している。
【００５５】
図６において、ホーム加入者サーバ１１〜１９のプロセッサ１０２は、制御部１０２０、アプリケーション部１０２２、安否情報管理部１０２４、およびその他の処理部１０２８を含んでいる。制御部１０２０は、アプリケーション部１０２２、安否情報管理部１０２４および処理部１０２８に制御信号を供給して、これらの要素の動作を制御してもよい。
【００５６】
安否情報管理部１０２４は、登録された加入者の位置情報を受信して管理し、避難状況、他者安否情報参照、等の安否情報を管理し、また、他の加入者の安否情報を受信して管理する。
【００５７】
図７は、組織Ｘのサーバ２１のプロセッサ１０２の概略的な構成（configuration）の例を示している。
【００５８】
図７において、サーバ２１のプロセッサ１０２は、ホーム加入者サーバ１１〜１９と同様に、制御部１０２０、アプリケーション部１０２２、安否情報管理部１０２４、およびその他の処理部１０２８を含んでいる。
【００５９】
図８は、無線端末５１〜５９のプロセッサ５０２の概略的な構成（configuration）の例を示している。
【００６０】
図８において、無線端末５１〜５９のプロセッサ５０２は、制御部５０２０、アプリケーション部５０２２、安否情報登録処理部５０２４、安否情報参照部５０２６、およびその他の処理部５０２８を含んでいる。制御部５０２０は、アプリケーション部５０２２、安否情報登録処理部５０２４、安否情報参照部５０２６および処理部５０２８に制御信号を供給して、これらの要素の動作を制御してもよい。
【００６１】
安否情報登録処理部５０２４は、無線端末５１〜５９の位置登録要求、および安否確認対象者によって入力された避難状況、等の情報を、ホーム加入者サーバ１１〜１９に送信しまたは登録する。また、安否情報参照部５０２６は、ホーム加入者サーバ１１〜１９に登録された安否確認対象者の安否情報または他者安否情報を受信して表示部５１２に表示する。
【００６２】
次は、例えば地震のような災害発生時における、無線端末ｂ１〜ｂ３、ｃ１、ｃ２、ホーム加入者サーバ（ＨＳＳ）Ａ１〜Ａ３、Ｂ１〜Ｂ３、Ｃ１、Ｃ２、およびルータｒ１、ｒ２の間での送受信シーケンスの例を説明する。
【００６３】
図９Ａおよび９Ｂは、無線端末ｂ１〜ｂ３、ｃ１、ｃ２、ホーム加入者サーバ（ＨＳＳ）Ａ１〜Ａ３、Ｂ１〜Ｂ３、Ｃ１、Ｃ２、およびルータｒ１、ｒ２の間での送受信シーケンスの例を示している。
【００６４】
図１０Ａ〜１０Ｄは、図９Ｂの後の、無線端末ｂ１〜ｂ３、ｃ１、ｃ２、ホーム加入者サーバ（ＨＳＳ）Ａ１〜Ａ３、Ｂ１〜Ｂ３、Ｃ１、Ｃ２、およびルータｒ１、ｒ２の間での送受信シーケンスの例を示している。
【００６５】
図１および９Ａにおいて、サーバＸには、組織Ｘのメンバーとしての無線端末ｂ１の加入者が安否確認対象者として予め登録されているものとする。また、ＨＳＳ Ａ３には無線端末ｂ３の加入者が、ＨＳＳ Ａ２には無線端末ｂ１、ｂ２、ｃ２の加入者が、ＨＳＳ Ａ１には無線端末ｂ２、ｃ１、ｃ２の加入者が、それぞれの他者安否情報テーブル中の安否確認対象者として予め登録されているものとする。災害警報発生前の最初の時間Ｔ０において、無線端末ｂ１〜ｂ３は電源がオン状態にあるが、無線端末ｃ１およびｃ２は電源がオフ状態にあるものとする。
【００６６】
図９Ａを参照すると、例えば気象庁または地方公共団体のような災害情報の管理機関の情報処理装置は、地震警報または地震速報のような災害警報または災害情報を移動体通信業者の災害警報用のサーバ２に送信する。ステップ６０２において、サーバ２は、受信した災害警報または災害情報を、ネットワーク５にブロードキャストで送信する。ＨＳＳＡ１〜Ａ３、Ｂ１〜Ｂ３、Ｃ１、Ｃ２、サーバＸ、無線基地局３１〜４０（ＡＰａ１〜ＡＰａ３、ＡＰｂ１〜ＡＰｂ３、ＡＰｃ１、ＡＰα〜ＡＰδ）、および無線端末ｂ１〜ｂ３、ｃ１、ｃ２、ａ１〜ａ３は、災害情報をブロードキャストで受信する。
【００６７】
ステップ６０４において、組織ＸのサーバＸは、災害警報の受信に応答して、サーバＸに登録されている組織Ｘのメンバーの安否情報を受信するために、ルータｒ２を介して、安否通知参加（join）メッセージをネットワーク５にマルチキャストで送信する。この場合、安否通知参加メッセージは、安否通知メッセージの送信元アドレス（例えば、ＩＰアドレス）として、組織Ｘのメンバーの加入者情報が登録されているＨＳＳ Ｂ１のＨＳＳアドレスを含んでいる。安否通知参加メッセージは、ルータｒ２およびｒ１を介して転送されてＨＳＳ Ｂ１に達する。
【００６８】
ステップ６０６において、ＨＳＳ Ａ３は、災害警報の受信に応答して、ＨＳＳ Ａ３に登録されている無線端末ｂ３を所持する安否確認対象者の安否情報を受信するために、ルータｒ２を介して安否通知参加メッセージをネットワーク５にマルチキャストで送信する。この場合、安否通知参加メッセージは、安否通知メッセージの送信元アドレスとして、安否確認対象者の加入者情報が登録されているＨＳＳ Ｂ３のＨＳＳアドレスを含んでいる。安否通知参加メッセージは、ルータｒ２およびｒ１を介して転送されてＨＳＳ Ｂ３に達する。
【００６９】
ステップ６０８で、ＨＳＳ Ａ２は、災害警報の受信に応答して、ＨＳＳ Ａ２に登録された無線端末ｂ１、ｂ２、ｃ２を所持する安否確認対象者の安否情報を受信するため、ルータｒ２を介して安否通知参加メッセージをネットワーク５にマルチキャストで送信する。この場合、安否通知参加メッセージは、安否通知メッセージの送信元アドレスとして、安否確認対象者の加入者情報が登録されているＨＳＳ Ｂ１、Ｂ２およびＣ２のアドレスを含んでいる。安否通知参加メッセージは、ルータｒ２およびｒ１を介して転送されてＨＳＳ Ｂ１、Ｂ２およびＣ２に達する。
【００７０】
ステップ６１０で、ＨＳＳ Ａ１は、災害警報の受信に応答して、ＨＳＳ Ａ１に登録されている無線端末ｃ１、ｃ２を所持する安否確認対象者の安否情報を受信するため、ルータｒ２を介して、安否通知参加メッセージをネットワーク５にマルチキャストで送信する。この場合、安否通知参加メッセージは、安否通知メッセージの送信元アドレスとして、安否確認対象者の加入者情報が登録されているＨＳＳ Ｃ１およびＣ２のＨＳＳアドレスを含んでいる。安否通知参加メッセージは、ルータｒ２およびｒ１を介して転送されてＨＳＳ Ｃ１およびＣ２に達する。
【００７１】
一方、安否確認対象者の無線端末ｂ１は、災害警報を受信した後、一定の時間（例えば、３分）が経過しても操作が無いかまたは操作入力を受けた場合、ステップ６２２の処理を実行する。即ち、ステップ６２２において、無線端末ｂ１は、自端末の位置を登録するための位置登録メッセージを、近隣の中継ＡＰｂ１を介して、無線端末ｂ１が登録されているＨＳＳ Ｂ１にユニキャストで送信する。位置登録メッセージは、無線端末（ｂ１）または中継ＡＰ（ｂ１）の地理的な位置情報（例えば、緯度経度）を含んでいてもよい。ＨＳＳ Ｂ１は、位置登録メッセージを受信して、無線端末ｂ１の安否情報の一部としての位置情報を生成して保存する。
【００７２】
ステップ６２４において、ＨＳＳ Ｂ１は、災害警報および位置登録メッセージの受信に応答して、中継ＡＰｂ１の近隣の震度計の識別情報を含む問合せメッセージをサーバ２にユニキャストで送信する。問合せメッセージは、災害の大きさ問合せまたは震度問合せであってもよい。中継ＡＰｂ１の近隣の震度計の識別情報の代わりに、中継ＡＰｂ１の近隣の震度計の地理的な位置情報、または中継ＡＰｂ１の地理的な位置情報が用いられてもよい。
【００７３】
ステップ６２５において、サーバ２は、問合せメッセージの受信に応答して、中継ＡＰｂ１の近隣の震度計の識別情報に対応する災害の大きさまたは震度の情報を含む応答をＨＳＳ Ｂ１にユニキャストで送信する。ＨＳＳ Ｂ１は、受信した災害の大きさまたは震度の情報を無線端末ｂ１に対応付けて安否情報の一部として保存する。
【００７４】
ステップ６２６において、無線端末ｂ２は、同様に、位置登録メッセージを、近隣の中継ＡＰαを介して、無線端末ｂ２が登録されているＨＳＳ Ｂ２にユニキャストで送信する。ＨＳＳ Ｂ２は、位置登録メッセージを受信して、無線端末ｂ２の安否情報の一部としての位置情報を生成して保存する。
【００７５】
ステップ６２８において、ＨＳＳ Ｂ２は、同様に、災害警報および位置登録メッセージの受信に応答して、中継ＡＰｂ２の近隣の震度計の識別情報を含む問合せメッセージをサーバ２にユニキャストで送信する。
【００７６】
ステップ６２９において、サーバ２は、同様に、問合せメッセージの受信に応答して、対応する災害の大きさまたは震度の情報を含む応答をＨＳＳ Ｂ２にユニキャストで送信する。ＨＳＳ Ｂ２は、受信した災害の大きさまたは震度の情報を無線端末ｂ２に対応付けて安否情報の一部として保存する。
【００７７】
ステップ６３０において、無線端末ｂ３は、同様に、位置登録メッセージを近隣の中継ＡＰδを介して、無線端末ｂ３が登録されているＨＳＳ Ｂ３にユニキャストで送信する。ＨＳＳ Ｂ３は、位置登録メッセージを受信して、無線端末ｂ３の安否情報としての位置情報を生成して保存する。
【００７８】
ステップ６３２において、ＨＳＳ Ｂ３は、同様に、災害警報および位置登録メッセージの受信に応答して、中継ＡＰｂ３の近隣の震度計の識別情報を含む問合せメッセージをサーバ２にユニキャストで送信する。
【００７９】
ステップ６３３において、サーバ２は、同様に、問合せメッセージの受信に応答して、対応する災害の大きさまたは震度の情報を含む応答をＨＳＳ Ｂ３にユニキャストで送信する。ＨＳＳ Ｂ３は、受信した災害の大きさまたは震度の情報を無線端末ｂ３に対応付けて安否情報の一部として保存する。
【００８０】
図９Ｂを参照すると、ステップ６４２において、ＨＳＳ Ｂ１は、安否通知参加メッセージの受信（ステップ６０４）に応答して、無線端末ｂ１に関する安否情報を含む安否通知メッセージを、安否通知グループ宛てにマルチキャストで送信する。ここで、安否情報は、無線端末（ｂ１）およびその加入者である安否確認対象者に関する、位置情報、避難状況および他者安否参照（有無）を含んでいる。安否通知メッセージは、ルータｒ１、ｒ２を介してサーバＸおよびＨＳＳ Ａ２に達する。サーバＸおよびＨＳＳ Ａ２は、受信した安否通知メッセージの安否情報を他者安否情報として保存する。ここで、保存される安否情報は、受信した安否情報の中から選択された、サーバＸおよびＨＳＳ Ａ２の各々において他者安否情報に含まれている特定の安否確認対象者の安否情報であってもよい。
【００８１】
ステップ６４４において、サーバＸは、安否通知メッセージの受信に応答して、安否通知離脱メッセージをネットワーク５にマルチキャストで送信する。安否通知離脱メッセージは、災害が発生したときにその後の安否確認対象者の安全が確認された場合に送信されてもよい。安否通知離脱メッセージはルータｒ２に達する。ルータｒ２は、安否通知グループからサーバＸを削除する。
【００８２】
ステップ６４６において、ＨＳＳ Ｂ２は、同様に、安否通知参加メッセージの受信に応答して、無線端末ｂ２に関する安否情報を含む安否通知メッセージを、安否通知グループ宛てにマルチキャストで送信する。安否通知メッセージは、ルータｒ１、ｒ２を介してＨＳＳ Ａ１およびＡ２に達する。ＨＳＳ Ａ１およびＡ２は、受信した安否通知メッセージの安否情報を保存する。
【００８３】
ステップ６４８において、ＨＳＳ Ｂ３は、同様に、安否通知参加メッセージの受信に応答して、無線端末ｂ３に関する安否情報を含む安否通知メッセージを、安否通知グループ宛てにマルチキャストで送信する。安否通知メッセージは、ルータｒ１、ｒ２を介してＨＳＳ Ａ３に達する。ＨＳＳ Ａ３は、受信した安否通知メッセージの安否情報を保存する。
【００８４】
ステップ６５０において、ＨＳＳ Ｃ１は、同様に、安否通知参加メッセージの受信に応答して、安否通知メッセージを安否通知グループ宛てにマルチキャストで送信する。安否通知メッセージは、ルータｒ１、ｒ２を介してＨＳＳ Ａ１およびＡ２に達する。ＨＳＳ Ａ１およびＡ２は、受信した安否通知メッセージの安否情報を保存する。この場合、ＨＳＳ Ｃ１は、無線端末ｃ１から安否情報を受信していないので、安否情報は、無線端末ｃ１を所持する安否確認対象者の安否が不明であることを表す。
【００８５】
ステップ６５２において、ＨＳＳ Ｃ２は、同様に、安否通知参加メッセージの受信に応答して、安否通知メッセージを安否通知グループ宛てにマルチキャストで送信する。安否通知メッセージは、ルータｒ１、ｒ２を介してＨＳＳ Ａ１に達する。ＨＳＳ Ａ１は、受信した安否通知メッセージの安否情報を保存する。この場合、ＨＳＳ Ｃ２は、無線端末ｃ２から安否情報を受信していないので、安否情報は、無線端末ｃ２を所持する安否確認対象者の安否が不明であることを表す。
【００８６】
図１０Ａを参照すると、安否確認対象者の無線端末ｃ１およびｃ２は、災害警報を受信した後、時間Ｔ３において安否確認対象者によって起動されて電源がオン状態になったものとする。その後、無線端末ｃ１およびｃ２は、災害警報を受信した後で、一定の時間が経過しても操作が無いかまたは操作入力を受けた場合、ステップ６６２および６６６の処理を実行する。
【００８７】
ステップ６６２において、無線端末ｃ１は、位置登録メッセージを近隣の中継ＡＰｃ１を介して、無線端末ｃ１が登録されているＨＳＳ Ｃ１にユニキャストで送信する。ＨＳＳ Ｃ１は、位置登録メッセージを受信して、無線端末ｃ１の安否情報の一部としての位置情報を生成して保存する。
【００８８】
ステップ６６４において、ＨＳＳ Ｃ１は、災害警報および位置登録メッセージの受信に応答して、問合せメッセージをサーバ２にユニキャストで送信する。ステップ６６５において、サーバ２は、問合せメッセージの受信に応答して、対応する災害の大きさまたは震度の情報を含む応答をＨＳＳ Ｃ１にユニキャストで送信する。ＨＳＳ Ｃ１は、受信した災害の大きさまたは震度情報を、無線端末ｃ１に対応付けて安否情報の一部として保存する。
【００８９】
ステップ６６６において、無線端末ｃ２は、位置登録メッセージを近隣の中継ＡＰβを介して、無線端末ｃ２が登録されているＨＳＳ Ｃ２にユニキャストで送信する。ＨＳＳ Ｃ２は、位置登録メッセージを受信して、無線端末ｃ２の安否情報の一部としての位置情報を生成して保存する。
【００９０】
ステップ６６８において、ＨＳＳ Ｃ２は、災害警報および位置登録メッセージの受信に応答して、問合せメッセージをサーバ２にユニキャストで送信する。ステップ６６９において、サーバ２は、問合せメッセージの受信に応答して、対応する災害の大きさまたは震度の情報を含む応答をＨＳＳ Ｃ２にユニキャストで送信する。ＨＳＳ Ｃ２は、受信した災害の大きさまたは震度情報を、無線端末ｃ２に対応付けて安否情報の一部として保存する。
【００９１】
ステップ６７０において、無線端末ｂ１は、安否確認対象者の操作に従って、無線端末ｂ１が登録されているＨＳＳ Ｂ１に他者安否参照メッセージをユニキャストで送信する。ステップ６７１において、ＨＳＳ Ｂ１は、他者安否参照メッセージの受信に応答して、ＨＳＳ Ｂ１において無線端末ｂ１に関係付けて登録されている他者安否情報を無線端末ｂ１にユニキャストで送信する。ＨＳＳ Ｂ１は、無線端末ｂ１による他者安否情報の参照または他者安否情報へのアクセスが有ったことを記憶する。ここで、他者安否情報は、自ＨＳＳ Ｂ１以外のＨＳＳ（Ｂ２等）から受信した安否確認対象者の安否情報のリストを含んでいる。他者安否情報は無線端末ｂ１に表示される。
【００９２】
ステップ６４２の周期の次の周期であるステップ６８２において、ＨＳＳ Ｂ１は、安否通知メッセージを安否通知グループ宛てにマルチキャストで送信する。ここで、安否情報は、最新の安否情報であり、ステップ６４２の後で更新されている場合がある。この場合、無線端末ｂ２が他者安否情報を参照した（ステップ６７０）ので、安否通知メッセージにおいて他者安否参照が“有”になっている。安否通知メッセージは、ルータｒ１、ｒ２を介してＨＳＳ Ａ２に達する。ＨＳＳ Ａ２は、受信した安否通知メッセージの安否情報を他者安否情報として保存する。
【００９３】
ステップ６８４において、ＨＳＳ Ａ２は、上述の更新された安否情報を含む安否通知メッセージの受信に応答して、安否通知離脱メッセージをネットワーク５にマルチキャストで送信する。安否通知離脱メッセージはルータｒ１およびＨＳＳ Ｂ１に達する。ルータｒ１およびＨＳＳ Ｂ１は、安否通知グループからＨＳＳ Ａ２を削除する。
【００９４】
ステップ６４６の周期の次の周期であるステップ６８６において、ステップ６４６と同様に、ＨＳＳ Ｂ２によって安否通知メッセージが送信されて、ＨＳＳ Ａ１およびＡ２によって受信される。
【００９５】
ステップ６４８の周期の次の周期であるステップ６８８において、ステップ６４８と同様に、ＨＳＳ Ｂ３によって安否通知メッセージが送信されて、ＨＳＳ Ａ３によって受信される。
【００９６】
ステップ６５０の周期の次の周期であるステップ６９０において、ステップ６５０と同様に、ＨＳＳ Ｃ１によって安否通知メッセージが送信されて、ＨＳＳ Ａ１およびＡ２によって受信される。
【００９７】
ステップ６５２の周期の次の周期であるステップ６９２において、ステップ６５２と同様に、ＨＳＳ Ｃ２によって安否通知メッセージが送信されて、ＨＳＳ Ａ１によって受信される。
【００９８】
図１０Ｂを参照すると、ステップ７０２において、無線端末ｂ１は、安否確認対象者の操作に従って、無線端末ｂ１が登録されているＨＳＳ Ｂ１に他者安否参照メッセージをユニキャストで送信する。ステップ７０３において、ＨＳＳ Ｂ１は、他者安否参照メッセージの受信に応答して、無線端末ｂ１に関係付けて登録されている他者安否情報を無線端末ｂ１にユニキャストで送信する。他者安否情報は無線端末ｂ１に表示される。
【００９９】
ステップ７０４において、無線端末ｂ２は、安否確認対象者によって入力された避難状況に基づいて避難状況登録メッセージを生成してＨＳＳ Ｂ２にユニキャストで送信する。ＨＳＳ Ｂ２は、受信した避難状況登録メッセージに従って、無線端末ｂ２の避難状況を安否情報の一部として登録する。この場合、安否通知メッセージにおいて安否情報の避難状況が“避難完了”と設定されたものとする。
【０１００】
その後、無線端末ｂ３を所持する安否確認対象者が、被災区域７からその外に移動して（図１、破線）、近隣のＡＰｂ３の通信範囲に入ったものとする。ステップ７０６において、無線端末ｂ３は、ＡＰｂ３の通信範囲に移動したので、位置登録メッセージを近隣の中継ＡＰｂ３を介して、無線端末ｂ３が登録されているＨＳＳ Ｂ３にユニキャストで送信する。ＨＳＳ Ｂ３は、位置登録メッセージを受信して、無線端末ｂ３の安否情報の一部としての新しい位置情報を生成して保存する。
【０１０１】
ステップ７０８において、ＨＳＳ Ｂ３は、災害警報受信後の位置登録メッセージの受信に応答して、問合せメッセージをサーバ２にユニキャストで送信する。ステップ７０９において、サーバ２は、問合せメッセージの受信に応答して、対応する災害の大きさまたは震度の情報を含む応答をＨＳＳ Ｂ３にユニキャストで送信する。ＨＳＳ Ｂ３は、受信した災害の大きさまたは震度の情報を、無線端末ｂ３に対応付けて安否情報の更新された一部として保存する。
【０１０２】
ステップ７１０において、無線端末ｃ１は、安否確認対象者の操作に従って、無線端末ｃ１が登録されているＨＳＳ Ｃ１に他者安否参照メッセージをユニキャストで送信する。ＨＳＳ Ｃ１は、無線端末ｃ１による他者安否情報の参照が有ったことを記憶する。ステップ７１１において、ＨＳＳ Ｃ１は、他者安否参照メッセージの受信に応答して、無線端末ｃ１に関係付けて登録されている他者安否情報を無線端末ｃ１にユニキャストで送信する。他者安否情報は無線端末ｃ１に表示される。
【０１０３】
図１０Ｃを参照すると、ステップ６８６の周期の次の周期であるステップ７２２において、ステップ６４６と同様に、ＨＳＳ Ｂ２によって安否通知メッセージが送信されて、ＨＳＳ Ａ１およびＡ２によって受信される。この場合、安否通知メッセージにおいて、ステップ７０４によって、安否情報の避難状況が“避難完了”になっているものとする。
【０１０４】
ステップ７２４において、ＨＳＳ Ａ１は、上述の更新された安否情報を含む安否通知メッセージの受信に応答して、安否通知離脱メッセージをネットワーク５にマルチキャストで送信する。安否通知離脱メッセージはルータｒ１に達する。ルータｒ１は、安否通知グループからＨＳＳ Ａ１を削除する。
【０１０５】
ステップ７２６において、ＨＳＳ Ａ２は、上述の更新された安否情報を含む安否通知メッセージの受信に応答して、安否通知離脱メッセージをネットワーク５にマルチキャストで送信する。安否通知離脱メッセージはルータｒ２およびＨＳＳ Ｂ２に達する。ルータｒ１、ｒ２およびＨＳＳ Ｂ２は、安否通知グループからＨＳＳ Ａ２を削除する。
【０１０６】
ステップ６８８の周期の次の周期であるステップ７２８において、ステップ６４８と同様に、ＨＳＳ Ｂ３によって安否通知メッセージが送信されて、ＨＳＳ Ａ３によって受信される。この場合、無線端末ｂ３は、ステップ７０６によって被災区域７の外に移動したと判定されて、受信された安否通知メッセージでは、安否情報の位置情報が“被災区域脱出”になっている。
【０１０７】
ステップ７３０において、ＨＳＳ Ａ３は、上述の更新された安否情報を含む安否通知メッセージの受信に応答して、安否通知離脱メッセージをネットワーク５にマルチキャストで送信する。安否通知離脱メッセージはルータｒ２およびＨＳＳ Ｂ２に達する。ルータｒ１、ｒ２およびＨＳＳ Ｂ２は、安否通知グループからＨＳＳ Ａ２を削除する。
【０１０８】
ステップ６９０の周期の次の周期であるステップ７３２において、ステップ６５０と同様に、ＨＳＳ Ｃ１によって安否通知メッセージが送信されて、ＨＳＳ Ａ１およびＡ２によって受信される。この場合、ステップ７１０で無線端末ｃ１が他者安否情報を参照したので、安否通知メッセージでは、他者安否参照が“有”になっている。
【０１０９】
ステップ７３４において、ＨＳＳ Ｃ１は、上述の更新された安否情報を含む安否通知メッセージの受信に応答して、安否通知離脱メッセージをネットワーク５にマルチキャストで送信する。安否通知離脱メッセージはルータｒ１に達する。ルータｒ１、ｒ２は、安否通知グループからＨＳＳ Ａ１を削除する。
【０１１０】
ステップ７３６において、ＨＳＳ Ａ２は、上述の更新された安否情報を含む安否通知メッセージの受信に応答して、安否通知離脱メッセージをネットワーク５にマルチキャストで送信する。安否通知離脱メッセージはルータｒ１に達する。ルータｒ１、ｒ２およびＨＳＳ Ａ２は、安否通知グループからＨＳＳ Ａ２を削除する。
【０１１１】
ステップ６９２の周期の次の周期であるステップ７３８において、ステップ６５２と同様に、ＨＳＳ Ｃ２によって安否通知メッセージが送信されて、ＨＳＳ Ａ１によって受信される。
【０１１２】
図１０Ｄを参照すると、ステップ７４２および７４３は、それぞれステップ７０２および７０３と同様である。
【０１１３】
ステップ７４４において、無線端末ｂ３は、無線端末ｂ３が登録されているＨＳＳ Ｂ３に他者安否参照メッセージをユニキャストで送信する。ステップ７４５において、ＨＳＳ Ｂ３は、他者安否参照メッセージの受信に応答して、ＨＳＳ Ｂ３において無線端末ｂ３に関係付けて登録されている他者安否情報を無線端末ｂ３にユニキャストで送信する。
【０１１４】
ステップ７４６および７４７は、それぞれステップ７１０および７１１と同様である。
【０１１５】
その後、無線端末ｃ２を所持する安否確認対象者が、被災区域７内で移動して（図１、破線）、近隣のＡＰγの通信範囲に入ったものとする。ステップ７４８において、無線端末ｃ２は、ＡＰγの通信範囲に移動したので、位置登録メッセージを近隣の中継ＡＰγを介して、無線端末ｃ２が登録されているＨＳＳ Ｃ２にユニキャストで送信する。ＨＳＳ Ｃ２は、位置登録メッセージを受信して、無線端末ｃ２の安否情報の一部としての更新された位置情報を生成して保存する。この場合、ＨＳＳ Ｃ２において、無線端末ｃ２は被災区域７内で移動したので、安否情報の位置情報が“被災区域内移動”となっている。
【０１１６】
ステップ７５０において、ＨＳＳ Ｃ２は、災害警報受信後の位置登録メッセージの受信に応答して、問合せメッセージをサーバ２にユニキャストで送信する。ステップ７５１において、サーバ２は、問合せメッセージの受信に応答して、対応する災害の大きさまたは震度の情報を含む応答をＨＳＳ Ｃ２にユニキャストで送信する。ＨＳＳ Ｃ２は、受信した災害の大きさまたは震度の情報を、無線端末ｃ２に対応付けて安否情報の更新された一部として保存する。
【０１１７】
ステップ７３８の周期の次の周期であるステップ７６２において、ステップ６５２と同様に、ＨＳＳ Ｃ２によって安否通知メッセージが送信されて、ＨＳＳ Ａ１によって受信される。この場合、無線端末ｃ２は、ステップ７４８によって被災区域内で移動したと判定されて、受信された安否通知メッセージでは、安否情報の位置情報が“被災区域内移動”となっている。
【０１１８】
次は、無線端末５１〜５９、ＨＳＳ１１〜１９および組織のサーバ２１によって保存されるデータおよび送受信されるメッセージについて説明する。
【０１１９】
図１１は、無線端末５１〜５９において生成されて保存される無線端末５１〜５９のデータの例を示している。
【０１２０】
図１１において、無線端末５１〜５９のデータは、自端末識別子、自端末アドレス、ＨＳＳアドレス、タイムスタンプ、中継ＡＰ識別子、および避難状況の各フィールドを含み、記憶部５０４に保存される。自端末アドレスは、無線端末５１〜５９の現在位置における通信用のアドレスである。ＨＳＳアドレスは、無線端末５１〜５９が加入者として登録されているＨＳＳのアドレスである。タイムスタンプは、各無線端末５１〜５９のデータの更新時刻である。中継ＡＰ識別子は、各無線端末５１〜５９が無線通信している近隣の中継ＡＰの識別子である。避難状況は、各無線端末５１〜５９の所持者によって入力または選択入力された入力情報である。
【０１２１】
無線端末５１〜５９のデータは、例えば、自端末識別子“Ｔ＃ｂ２”、自端末アドレス“ＡＤＤＲ＿＃ｂ２”、およびＨＳＳアドレス“ＡＤＤＲ＿Ｈｏｍｅ＃Ｂ２”を含んでいる。無線端末５１〜５９のデータは、さらに、例えば、タイムスタンプ“２０１４／０８／２００９：００：００：０００”（２０１４年８月２０日９時）、中継ＡＰ識別子“ＡＰ＃α”および避難状況“避難完了（安全）”を含んでいる。避難状況は、入力情報がない場合、空白である。
【０１２２】
図１２は、ＨＳＳ１１〜１９における無線端末５１〜５９の加入者データの例を示している。ここで、加入者データは安否情報を含んでいる。
【０１２３】
図１２において、ＨＳＳ１１〜１９における無線端末５１〜５９の加入者データは、ＨＳＳ識別子（ＩＤ）、端末識別子（ＩＤ）、端末アドレス、ＨＳＳアドレス、安否通知グループ・アドレス、および災害警報サーバ・アドレスの各フィールドを含んでいる。加入者データは、さらに、タイムスタンプ、中継ＡＰ識別子、位置情報、避難状況および他者安否参照を、安否情報として含んでいる。加入者データは、さらに、自ＨＳＳアドレスを送信元とする安否通知への参加を表す安否通知参加の有無、および被災区域閾値を含んでいる。
【０１２４】
ＨＳＳ識別子は、各無線端末５１〜５９の加入者情報が登録された対応のＨＳＳ１１〜１９の識別子である。ＨＳＳアドレスは、対応のＨＳＳ１１〜１９のアドレスである。安否通知グループ・アドレスは、安否通知グループのマルチキャスト・アドレスである。災害警報サーバ・アドレスは、災害警報用のサーバ２のアドレスである。タイムスタンプは、安否情報の更新時刻である。位置情報は、各無線端末５１〜５９の安否情報としての被災区域に関する位置情報である。避難状況は、安否確認対象者によって入力されて各無線端末５１〜５９から受信した避難状況である。他者安否参照は、各無線端末５１〜５９による当該ＨＳＳ１１〜１９の他者安否情報（図１３）へのアクセスまたは参照の有無を表す。安否通知参加の有無は、当該ＨＳＳ１１〜１９において、他のＨＳＳによる１１〜１９またはサーバ２１による、当該ＨＳＳ１１〜１９を送信元とする安否通知グループへの参加が、設定されているかどうかを表す。被災区域閾値は、各無線基地局３１〜４０の通信範囲の地域が被災区域（７）であると判定するのに使用される、被災の大きさまたは震度の閾値または基準である。
【０１２５】
加入者データは、例えば、ＨＳＳ識別子“Ｈｏｍｅ＃Ｂ２”、端末識別子“Ｔ＃ｂ２”、端末アドレス“ＡＤＤＲ＿＃ｂ２”、ＨＳＳアドレス“ＡＤＤＲ＿Ｈｏｍｅ＃Ｂ２”、および安否通知グループ・アドレス“ＭＣ＿ＡＤＤＲ＿＃ｍ”を含んでいる。加入者データは、さらに、例えば、災害警報サーバ・アドレス“ＡＤＤＲ＿ＤｉｓａｓｔｅｒＡｌｒｍＳｒｖｒ”を含んでいる。加入者データは、さらに、例えば、タイムスタンプ“２０１４／０８／２００９：００：００：０００”、中継ＡＰ識別子“ＡＰ＃α”、位置情報“被災区域内（震度３）”、避難状況“避難完了（安全）”、および他者安否参照“実施”を含んでいる。加入者データは、さらに、例えば、安否通知参加の有無“有”、および被災区域閾値“震度３”を含んでいる。
【０１２６】
図１３は、ＨＳＳ１１〜１９における他者安否情報テーブルの例を示している。
図１３において、他者安否情報テーブルは、例えば、安否確認対象者（識別情報）、ＨＳＳアドレス、通知受信表示、位置情報、避難状況、他者安否参照、およびタイムスタンプの各フィールドを含んでいる。
【０１２７】
安否確認対象者は、例えば、無線端末を所持する安否確認対象者の氏名または識別番号であってもよい。ＨＳＳアドレスは、安否確認対象者の無線端末５１〜５９が登録されているＨＳＳのアドレスである。通知受信表示は、そのＨＳＳアドレスを有し無線端末５１〜５９が登録されたＨＳＳ１１〜１９を送信元とする安否通知の（当該ＨＳＳにおける）受信中または停止中の状態、即ち安否通知グループへの参加または離脱の状態を表す。
【０１２８】
他者安否情報テーブルは、例えば、安否確認対象者（氏名）“Ｂ２”、ＨＳＳアドレス“ＡＤＤＲ＿Ｈｏｍｅ＃Ｂ２”、および通知受信表示“受信中”を含んでいる。他者安否情報テーブルは、さらに、例えば、位置情報“被災区域内（震度３）”、避難状況“避難完了”、他者安否参照“未実施”、タイムスタンプ“２０１４／０８／２０ ０９：００：００：０００”を含んでいる。
【０１２９】
図１４Ａは、ＨＳＳ１１〜１９または組織Ｘのサーバ２１における安否通知離脱条件テーブルの例を示している。図１４Ｂは、ＨＳＳ１１〜１９または組織Ｘのサーバ２１における安否通知離脱条件テーブルの別の例を示している。
【０１３０】
図１４Ａおよび１４Ｂにおいて、安否通知グループ離脱条件テーブルは、位置情報、避難状況、および他者安否参照の各フィールドを含んでいる。位置情報は、一致すると判定される位置情報の条件である。避難状況は、一致すると判定される避難状況の条件である。他者安否参照は、一致すると判定される他者安否参照の条件である。任意は、いずれの場合でも一致すると判定されることを表す。“ｎｏｔ ｎｕｌｌ”は何らかの入力された避難状況の情報が保存されている場合に一致すると判定されることを表す。
【０１３１】
図１４Ａにおいて、例えば、位置情報“被災区域外”、避難状況“（任意）”、および他者安否参照“実施”（安否通知離脱条件）が満たされた場合、即ち無線端末が被災区域外に位置しかつ他者安否情報の参照があった場合、安否通知離脱メッセージが送信される。また、例えば、位置情報“被災区域脱出”、避難状況“（任意）”、および他者安否参照“実施”（安否通知離脱条件）が満たされた場合、即ち無線端末が被災区域外に移動しかつ他者安否情報の参照があった場合に、安否通知離脱メッセージが送信される。また、例えば、位置情報“（任意）”、避難状況“（ｎｏｔ ｎｕｌｌ）”、および他者安否参照“（任意）”（安否通知離脱条件）が満たされた場合、即ち避難状況に入力情報が存在する場合に、安否通知離脱メッセージが送信される。
【０１３２】
図１４Ｂにおいて、例えば、位置情報“被災区域外”、避難状況“（任意）”、および他者安否参照“（任意）”（安否通知離脱条件）が満たされた場合、即ち無線端末が被災区域外に位置している場合に、安否通知離脱メッセージが送信される。また、例えば、位置情報“被災区域脱出”、避難状況“（任意）”、および他者安否参照“実施”（安否通知離脱条件）が満たされた場合に、安否通知離脱メッセージが送信される。また、例えば、位置情報“（任意）”、避難状況“（ｎｏｔ ｎｕｌｌ）”、および他者安否参照“（任意）”（安否通知離脱条件）が満たされた場合に、安否通知離脱メッセージが送信される。
【０１３３】
図１５は、災害警報用のサーバ２における震度情報テーブルの例である。
図１５において、震度情報テーブルは、震度計ＩＤおよび震度の各フィールドを含んでいる。震度計ＩＤは、震度計の識別子または識別情報である。震度は、震度計で測定された震度の値である。震度情報テーブルは、例えば、震度計ＩＤ“＃α１”および震度“１”を含んでいる。
【０１３４】
図１６は、ＨＳＳ１１〜１９におけるＡＰ近隣震度計リストの例を示している。
【０１３５】
図１６において、ＡＰ近隣震度計リストは、ＡＰ識別子および近隣震度計ＩＤの各フィールドを含んでいる。近隣震度計ＩＤは、ＡＰの近隣にある震度計の識別子または識別情報である。ＡＰ近隣震度計リストは、例えば、ＡＰ識別子“ＡＰ＃α”および近隣震度計ＩＤ“α１”を含んでいる。
【０１３６】
図１７は、各無線端末５１〜５９から、対応のＨＳＳ１１〜１９に送信される避難状況登録メッセージの例を示している。
【０１３７】
図１７において、避難状況登録メッセージは、安否確認対象者によって入力される安否確認対象者の避難状況を示すメッセージである。避難状況登録メッセージは、Ｌ１ヘッダ、Ｌ２ヘッダ、ＩＰヘッダに送信元アドレス（ＳＡ）および宛先アドレス（ＤＡ）、およびＴＣＰデータの各フィールドを含んでいる。ＴＣＰデータは、無線端末５１〜５９における、端末識別子、避難状況、およびタイムスタンプを含んでいる。
【０１３８】
送信元アドレスは、メッセージ送信元である安否確認対象者の無線端末５１〜５９のアドレスである。宛先アドレスは、安否確認対象者の無線端末５１〜５９が登録されているＨＳＳ１１〜１９のアドレスである。端末識別子は、避難状況登録メッセージの送信元である安否確認対象者の無線端末５１〜５９の端末識別子である。避難状況は、安否確認対象者によって入力されて登録される避難状況を示す情報である。タイムスタンプは、避難状況登録メッセージが生成された時刻である。
【０１３９】
無線端末５６（ｂ２）の避難状況登録メッセージは、例えば、送信元アドレス“ＡＤＤＲ＿＃ｂ２”、宛先アドレス“ＡＤＤＲ＿Ｈｏｍｅ＃Ｂ２”、端末識別子“Ｔ＃ｂ２”、および避難状況“避難完了（安全）”を含んでいる。
【０１４０】
図１８Ａは、各ＨＳＳ１１〜１９から災害警報用のサーバ２に送信される問合せメッセージの例を示している。
【０１４１】
問合せメッセージは、災害警報用のサーバ２に災害の大きさまたは震度を問い合わせるためのメッセージである。問合せメッセージは、Ｌ１ヘッダ、Ｌ２ヘッダ、ＩＰヘッダに送信元アドレス（ＳＡ）および宛先アドレス（ＤＡ）、およびＴＣＰデータの各フィールドを含んでいる。ＴＣＰデータは、サーバ２における１つ以上の震度計ＩＤ（識別子または識別情報）を含む震度計リストを含んでいる。
【０１４２】
ＨＳＳ１６（Ｂ２）の問合せメッセージは、例えば、送信元アドレス“ＡＤＤＲ＿Ｈｏｍｅ＃Ｂ２”、宛先アドレス“ＡＤＤＲ＿ＤｉｓａｓｔｅｒＡｌｒｍＳｒｖｒ”、および震度計リスト“震度計＃α１、震度計＃α２、震度計＃α３”を含んでいる。
【０１４３】
図１８Ｂは、問合せメッセージに対して、災害警報用のサーバ２から各無線端末５１〜５９に送信される応答メッセージの例を示している。
【０１４４】
応答メッセージは、Ｌ１ヘッダ、Ｌ２ヘッダ、ＩＰヘッダに送信元アドレス（ＳＡ）および宛先アドレス（ＤＡ）、およびＴＣＰデータの各フィールドを含んでいる。ＴＣＰデータは、震度情報リストとして、サーバ２における１つ以上の震度計ＩＤとその測定された震度情報を含む震度情報リストを含んでいる。
【０１４５】
応答メッセージは、例えば、送信元アドレス“ＡＤＤＲ＿ＤｉｓａｓｔｅｒＡｌｒｍＳｒｖｒ”、宛先アドレス“ＡＤＤＲ＿Ｈｏｍｅ＃Ｂ２”、および震度情報リスト“震度計＃α１：震度１、震度計＃α２：震度１、震度計＃α３：震度３”を含んでいる。
【０１４６】
図１９Ａは、各無線端末５１〜５９から対応の各ＨＳＳ１１〜１９に送信される他者安否参照メッセージの例を示している。
【０１４７】
図１９Ａにおいて、他者安否参照メッセージは、Ｌ１ヘッダ、Ｌ２ヘッダ、ＩＰヘッダに送信元アドレス（ＳＡ）および宛先アドレス（ＤＡ）、およびＴＣＰデータの各フィールドを含んでいる。ＴＣＰデータは、送信元の無線端末５１〜５９の端末識別子を含んでいる。
【０１４８】
他者安否参照メッセージは、例えば、送信元アドレス“ＡＤＤＲ＿＃ｂ２”、宛先アドレス“ＡＤＤＲ＿Ｈｏｍｅ＃Ｂ２”および端末識別子“Ｔ＃ｂ２”を含んでいる。
【０１４９】
図１９Ｂは、他者安否参照メッセージに対する、各ＨＳＳ１１〜１９から各無線端末５１〜５９に送信される応答メッセージの例を示している。
【０１５０】
図１９Ｂにおいて、応答メッセージは、Ｌ１ヘッダ、Ｌ２ヘッダ、ＩＰヘッダに送信元アドレス（ＳＡ）および宛先アドレス（ＤＡ）、およびＴＣＰデータの各フィールドを含んでいる。ＴＣＰデータは、他者安否情報リストとして、安否確認対象者、位置情報、避難状況および他者安否参照に関する情報を含んでいる。安否確認対象者は、例えば氏名または識別情報であってもよい。位置情報は、例えば、“被災区域内”、“被災区域外”、“被災区域内移動”または“被災区域脱出”と、任意に被災区域内の震度とを含んでいてもよい。避難状況は、例えば、“避難完了”または空白であってもよい。他者安否参照は、例えば、実施または未実施であってもよい。
【０１５１】
応答メッセージは、例えば、送信元アドレス“ＡＤＤＲ＿Ｈｏｍｅ＃Ｂ２”、および宛先アドレス“ＡＤＤＲ＿＃ｂ２”を含んでいる。また、応答メッセージは、他者安否情報リストとして、例えば、安否確認対象者“Ｂ２”、位置情報“被災区域内（震度３）”、避難状況“避難完了”、および他者安否参照“未実施”を含んでいる。
【０１５２】
図２０は、安否確認対象者の無線端末５４〜５９が登録されたＨＳＳ１４〜１９から、安否確認者の無線端末５１〜５３が登録されたＨＳＳ１１〜１３または組織Ｘのサーバ２１にマルチキャストで送信される安否通知メッセージの例を示している。
【０１５３】
図２０において、安否通知メッセージは、Ｌ１ヘッダ、Ｌ２ヘッダ、ＩＰヘッダに送信元アドレス（ＳＡ）および宛先アドレス（ＤＡ）、およびＴＣＰデータの各フィールドを含んでいる。ＴＣＰデータは、安否確認対象者（氏名または識別情報）、位置情報、避難状況、他者安否参照、およびタイムスタンプを含んでいる。タイムスタンプは、位置情報、避難状況または他者安否参照が最後に更新された時刻である。
【０１５４】
安否通知メッセージは、例えば、送信元アドレス“ＡＤＤＲ＿Ｈｏｍｅ＃Ｂ２”、宛先アドレス“ＭＣ＿ＡＤＤＲ＿＃ｍ１”、位置情報“被災区域（震度３）”、避難状況“避難完了（安全）”、および他者安否参照“実施”を含んでいる。
【０１５５】
図２１は、安否確認者の無線端末５１〜５３が登録されているＨＳＳ１１〜１３およびサーバ２１によって、安否確認対象者の無線端末５４〜５９が登録されているＨＳＳ１４〜１９に送信される安否通知参加メッセージ（ＭＬＤ−ｊｏｉｎ）の例を示している。
【０１５６】
安否通知参加メッセージは、リスナーが受信しようとする安否通知グループ宛ての要請存在通知をランデブポイントまたは送信元ＡＰに伝えるものである。安否通知参加メッセージは、安否情報に関するマルチキャスト配信またはマルチキャスト・グループへの参加信号、参加表明信号または参加要求信号でもある。安否通知参加メッセージは、Ｌ１ヘッダ、Ｌ２ヘッダ、ＩＰヘッダに送信元アドレス（ＳＡ）および宛先アドレス（ＤＡ）、およびＩＣＭＰｖ６（Internet Control Message Protocol for IPv6）データの各フィールドを含んでいる。ＩＣＭＰｖ６データは、タイプ、およびマルチキャスト・アドレス・レコードを含んでいる。
【０１５７】
送信元アドレスは、安否確認者の無線端末５１〜５３が登録されているＨＳＳ１１〜１３のアドレスである。宛先アドレスは、全てのマルチキャスト・ルータに対するマルチキャスト・アドレスである。タイプは、ルータにマルチキャストを受信させるための、リスナーのレポートを表す“Type = Version 2 Multicast Listener Report”である。マルチキャスト・アドレス・レコードは、レコード・タイプ、マルチキャスト・アドレス、および受信するマルチキャスト配信のＨＳＳ１４〜１９の送信元アドレス（ＳＡ）を含んでいる。ＨＳＳ１４〜１９の送信元アドレスは、ＨＳＳのＩＰアドレスであってよいが、ＤＳＮの名前解決法によって、ＨＳＳ識別子から取得することもできる。
【０１５８】
ＨＳＳ１１からの安否通知参加メッセージは、例えば、送信元アドレス“ＡＤＤＲ＿Ｈｏｍｅ＃Ａ１”、および宛先アドレス“ＦＦ０２：０：０：０：０：０：０：１６”を含んでいる。マルチキャスト・アドレス・レコードは、例えば、レコード・タイプ“Record Type = Allow_New_Sources”、およびマルチキャスト・アドレス（安否通知グループ・アドレス）“ＭＣ＿ＡＤＤＲ＿＃ｍ１”を含んでいる。マルチキャスト・アドレス・レコードは、さらに、例えば、マルチキャスト配信のＡＰの送信元アドレス“ＡＤＤＲ＿Ｈｏｍｅ＃Ｂ２”、“ＡＤＤＲ＿Ｈｏｍｅ＃Ｃ１”および“ＡＤＤＲ＿Ｈｏｍｅ＃Ｃ２”を含んでいる。
【０１５９】
図２２は、安否確認者の無線端末５１〜５３が登録されているＨＳＳ１１〜１３およびサーバ２１によって、安否確認対象者の無線端末５４〜５９が登録されているＨＳＳ１４〜１９に送信される安否通知離脱メッセージ（ＭＬＤ−ｌｅａｖｅ）の例を示している。
【０１６０】
安否通知離脱メッセージは、リスナーが離脱しようとする安否通知グループをランデブポイントまたは送信元ＡＰに伝えるものである。安否通知離脱メッセージは、安否情報に関するマルチキャスト配信またはマルチキャスト・グループから離脱するための離脱信号でもある。安否通知離脱メッセージは、安否通知参加メッセージと同様に、Ｌ１ヘッダ、Ｌ２ヘッダ、ＩＰヘッダに送信元アドレス（ＳＡ）および宛先アドレス（ＤＡ）、およびＩＣＭＰｖ６データの各フィールドを含んでいる。
【０１６１】
送信元アドレスおよび宛先アドレスは、安否通知参加メッセージと同様の各フィールドを含んでいる。この場合、マルチキャスト・アドレス・レコードは、例えば、レコード・タイプ“Record Type = Block_Old_Sources”、およびマルチキャスト・アドレス（安否通知グループ・アドレス）“ＭＣ＿ＡＤＤＲ＿＃ｍ１”を含んでいる。マルチキャスト・アドレス・レコードは、例えば、ＨＳＳ１６の送信元アドレス“ＡＤＤＲ＿Ｈｏｍｅ＃Ｂ２”を含んでいる。
【０１６２】
次は、ＨＳＳ１６および１１、および無線端末５６および５１の動作および処理について説明する。但し、以下のＨＳＳ１６に関する動作および処理の説明は、他のＨＳＳ１１〜１５および１７〜１９にも同様に適用される。また、以下のＨＳＳ１１に関する動作および処理の説明は、他のＨＳＳ１２〜１９にも同様に適用される。また、以下の無線端末５６に関する動作および処理の説明は、他の無線端末５１〜５５、５７および５９にも同様に適用される。また、以下の無線端末５１に関する動作および処理の説明は、他の無線端末５２〜５９にも同様に適用される。
【０１６３】
図２３は、災害警報の受信時に、ＨＳＳ１６および１１の各々によって実行される、安否通知参加メッセージを送信するための処理のフローチャートの例を示している。
【０１６４】
図２３を参照すると、ステップ８０２において、安否確認対象者の無線端末５６が登録されているＨＳＳ１６のプロセッサ１０２（またはその安否情報管理部１０２４）は、安否確認対象者としての無線端末５６の加入者の安否情報を初期化する。ここで、安否情報は、図１２に例示されおり、例えば、中継ＡＰ識別子、位置情報、避難状況、他者安否参照、およびタイムスタンプを含んでいる。ステップ８０２は、安否確認対象者としての、ＨＳＳ１６の加入者の安否情報を、初期化する処理である。また、ＨＳＳ１１も、安否確認対象者としての加入者の無線端末５１に対して同様に動作する。
【０１６５】
ステップ８０４において、安否確認者の無線端末５１が登録されているＨＳＳ１１のプロセッサ１０２（安否情報管理部１０２４）は、他者安否情報テーブルの各安否確認対象者の安否情報を初期化する。ここで、他者安否情報テーブルは、図１３に例示されており、例えば、安否確認対象者の、ＨＳＳアドレス、通知受信表示、位置情報、避難状況、他者安否参照、およびタイムスタンプを含んでいる。ステップ８０４は、安否確認者としての、ＨＳＳ１１で受信されて保存される他者安否情報を、初期化する処理である。また、ＨＳＳ１６も、自己の他者安否情報テーブルについて同様に動作する。
【０１６６】
ステップ８０６において、ＨＳＳ１１のプロセッサ１０２（安否情報管理部１０２４）は、他者安否情報テーブル中の各安否確認対象者の通知受信表示を“受信中”と設定する。通知受信表示“受信中”は、安否通知参加メッセージが送信され、安否通知メッセージの受信準備完了の状態にあることを示していてもよい。また、ＨＳＳ１６も、他者安否情報テーブルの通知受信表示について同様に動作する。
【０１６７】
ステップ８０８において、ＨＳＳ１１のプロセッサ１０２（安否情報管理部１０２４）は、安否通知参加メッセージをネットワーク５にマルチキャストで送信する。ここで、安否通知参加メッセージは、他者安否情報テーブル中の各安否確認対象者のＨＳＳアドレスを、マルチキャスト・アドレス・レコード中の送信元アドレスとして含んでいる。安否通知参加メッセージは、図２１に例示されている。ＨＳＳ１１〜１３およびサーバ２１によって送信された安否通知参加メッセージは、例えば、他のＨＳＳ１４〜１９によって受信される。また、ＨＳＳ１６も、同様に、安否確認者のために、安否通知参加メッセージを送信することができる。
【０１６８】
図２４は、安否確認者の組織Ｘのサーバ２１によって実行される、安否通知参加メッセージを送信するための処理のフローチャートの例を示している。
【０１６９】
図２４を参照すると、ステップ８１４〜８１８は、図２３のＨＳＳ１６によって実行されるステップ８０４〜８０８とそれぞれ同様であり、サーバ２１のプロセッサ１０２（安否情報管理部１０２４）によって実行される。サーバ２１は加入者情報を管理しないので、図２４にはステップ８０２に対応する処理が存在しない。
【０１７０】
図２５は、ＨＳＳ１６によって実行される、安否通知参加メッセージを受信した場合に安否通知参加の有無を設定するための処理のフローチャートの例を示している。
【０１７１】
図２５を参照すると、ステップ８２２において、ＨＳＳ１６のプロセッサ１０２（安否情報管理部１０２４）は、受信した安否通知参加メッセージ中のマルチキャスト・アドレス・レコード中の送信元アドレスを取得する。
【０１７２】
ステップ８２４において、プロセッサ１０２（安否情報管理部１０２４）は、マルチキャスト・アドレス・レコード中の送信元アドレスに自己のＨＳＳアドレスがあるかどうかを判定する。送信元アドレスに自己のＨＳＳアドレスがあると判定された場合は、手順はステップ８２６に進む。送信元アドレス中に自己のＨＳＳアドレスがないと判定された場合は、手順は図２５のルーチンを出る。
【０１７３】
ステップ８２４において、プロセッサ１０２（安否情報管理部１０２４）は、無線端末５６の加入者データにおいて、自己のＨＳＳアドレスを送信元とする安否通知への参加（安否通知参加）の有無に“有”を設定する。それによって、ＨＳＳ１６は、安否通知メッセージを安否通知グループ宛てに周期的に送信するようになる。その後、手順は図２５のルーチンを出る。
【０１７４】
図２６は、安否確認対象者の無線端末５６によって実行される位置登録メッセージの生成および送信のための処理のフローチャートの例を示している。
【０１７５】
図２６を参照すると、ステップ８３２において、無線端末５６のプロセッサ５０２（またはその安否情報登録処理部５０２４）は、災害警報の受信に応答して、記憶部５０４から、無線端末５６の端末識別子および中継ＡＰ識別子を取得する。中継ＡＰ識別子は、無線端末５６の近隣にあって無線端末５６の通信を中継する無線基地局（ＡＰ）３６の識別子である。
【０１７６】
ステップ８３４において、プロセッサ５０２（安否情報登録処理部５０２４）は、端末識別子および中継ＡＰ識別子を含む位置登録メッセージを生成して、無線端末５６が登録されたＨＳＳ１６のＨＳＳアドレス宛てに位置登録メッセージを送信する。ＨＳＳ１６は、無線端末５６から位置登録メッセージを受信する。
【０１７７】
図２７Ａおよび２７Ｂは、安否確認対象者の無線端末５６が登録されたＨＳＳ１６によって実行される、被災に関する無線端末５６の位置情報を設定するための処理のフローチャートの例を示している。
【０１７８】
図２７Ａを参照すると、ステップ８４２において、ＨＳＳ１６のプロセッサ１０２（安否情報管理部１０２４）は、無線端末５６から位置登録メッセージを受信し、災害警報受信後に無線端末５６から受信した位置登録メッセージ中の中継ＡＰ識別子を取り出す。
【０１７９】
ステップ８４４において、プロセッサ１０２（安否情報管理部１０２４）は、災害警報受信後において、中継ＡＰが前回の中継ＡＰから変更されたかどうかを判定する。前回の中継ＡＰは、加入者データの安否情報における中継ＡＰ識別子で識別される。ここで、中継ＡＰが前回から変更されたと判定された場合、手順はステップ８４６に進む。災害警報受信直後において安否情報中の中継ＡＰは初期化されて消去されるので（図２３）、災害警報受信後に位置登録メッセージが最初に受信されたとき、中継ＡＰが変更されたと判定される。中継ＡＰが前回から変更されていないと判定された場合、安否情報に変更がないので、手順は図２７Ａおよび２７Ｂのルーチンを出る。
【０１８０】
ステップ８４６において、プロセッサ１０２（安否情報管理部１０２４）は、記憶装置１０６中のＡＰ近隣震度計リストから、端末装置５６から受信した中継ＡＰ識別子に対応する近隣震度計ＩＤのリストを抽出する。
【０１８１】
ステップ８４８において、プロセッサ１０２（安否情報管理部１０２４）は、震度を問い合わせるための問合せメッセージを生成して災害警報用のサーバ２に送信する。問合せメッセージは、受信した中継ＡＰ識別子の近隣震度計ＩＤのリストを含んでいる。ＡＰ近隣震度計リストは、図１６に例示されている。
【０１８２】
ステップ８５０において、サーバ２は、ＨＳＳ１６から問合せメッセージを受信し、震度情報テーブルから、問合せメッセージ中の震度計ＩＤに対応する震度情報を抽出して震度情報リストを生成する。震度情報テーブルは、図１５に例示されている。
【０１８３】
ステップ８５２において、サーバ２は、生成された震度情報リストを含む応答メッセージを生成してＨＳＳ１６に送信する。ステップ８５４において、ＨＳＳ１６のプロセッサ１０２（安否情報管理部１０２４）は、サーバ２から応答メッセージを受信する。
【０１８４】
ステップ８５６において、ＨＳＳ１６のプロセッサ１０２（安否情報管理部１０２４）は、受信した応答メッセージから震度情報リスト中の最大値の震度を取り出す。
【０１８５】
図２７Ｂを参照すると、ステップ８６２において、プロセッサ１０２（安否情報管理部１０２４）は、最大値の震度が“被災区域内”の震度レベルに相当するかどうかを判定する。“被災区域内”の震度レベルは、例えば閾値震度３または４以上であってもよい。最大値の震度が“被災区域内”の震度レベルに相当しないと判定された場合は、手順はステップ８７２に進む。最大値の震度が“被災区域内”の震度レベルに相当すると判定された場合は、手順はステップ８７４に進む。
【０１８６】
ステップ８６４において、プロセッサ１０２（安否情報管理部１０２４）は、無線端末５６の前回の位置情報が“被災区域内”かどうかを判定する。位置情報が“被災区域内”であると判定された場合は、手順はステップ８６６に進む。位置情報が“被災区域内”でないと判定された場合は、手順はステップ８６８に進む。
【０１８７】
ステップ８６６において、プロセッサ１０２（安否情報管理部１０２４）は、中継ＡＰが変更され、今回の震度が“被災区域内”であり、前回の位置情報が“被災区域内”なので、無線端末５６に関して“被災区域内移動”を、安否情報の位置情報に設定する。その際、位置情報に震度が付加されてもよい。この位置情報“被災区域内移動”は、例えば、図１における無線端末５７の移動を表し、無線端末５７が、例えば、同じ被災区域７内にある２つの中継ＡＰβとＡＰγの通信範囲の間で移動したことを表す。
【０１８８】
ステップ８６８において、プロセッサ１０２（安否情報管理部１０２４）は、前回の位置情報が不明かどうかを判定する。例えば、位置情報が初期化されて未設定である場合、位置情報は不明と判定される。位置情報が不明であると判定された場合は、手順はステップ８７０に進む。前回の位置情報が不明でない、即ち位置情報が“被災区域外”であると判定された場合は、無線端末５６が被災区域７外から被災区域７内へ移動したので、手順は図２７Ａおよび２７Ｂのルーチンを出る。この場合、安否確認対象者は、例えば、被災区域７外から被災区域７内に移動して救助活動をしている可能性がある。
【０１８９】
ステップ８７０において、プロセッサ１０２（安否情報管理部１０２４）は、安否情報の位置情報に“被災区域内”を設定する。その際、位置情報に震度が付加されてもよい。
【０１９０】
ステップ８７２において、プロセッサ１０２（安否情報管理部１０２４）は、保存されている前回の位置情報が“被災区域内”かどうかを判定する。位置情報が“被災区域内”であると判定された場合は、手順はステップ８７４に進む。位置情報が“被災区域内”でないと判定された場合は、無線端末５６が被災区域７外から別の被災区域７外へ移動したので、位置情報が変更されず、手順は図２７Ａおよび２７Ｂのルーチンを出る。
【０１９１】
ステップ８７４において、プロセッサ１０２（安否情報管理部１０２４）は、前回の位置情報が不明かどうかを判定する。位置情報が不明であると判定された場合は、手順はステップ８７８に進む。前回の位置情報が不明でない、即ち位置情報が“被災区域内”であると判定された場合、無線端末５６が被災区域７内から被災区域７外へ移動したので、手順はステップ８７６に進む。
【０１９２】
ステップ８７６において、プロセッサ１０２（安否情報管理部１０２４）は、無線端末５６に関して位置情報に“被災区域脱出”を設定する。この位置情報“被災区域脱出”は、例えば、図１における無線端末５９の移動を表し、無線端末５９が、例えば、被災区域７内の中継ＡＰδの通信範囲から、被災区域７外のＡＰｂ３の通信範囲へと移動したことを表す。
【０１９３】
ステップ８７８において、プロセッサ１０２（安否情報管理部１０２４）は、無線端末５６に関して“被災区域外”を、安否情報の位置情報に設定する。ステップ８６６、８７０、８７６および８７８の後、手順は図２７Ａおよび２７Ｂのルーチンを出る。
【０１９４】
このようにして、ＨＳＳ１６は、安否確認対象者の被災に関する無線端末５６の位置情報を、安否情報の一部として設定することができる。
【０１９５】
図２８は、安否確認対象者の無線端末５６によって実行される避難状況登録メッセージの生成および送信のための処理のフローチャートの例を示している。
【０１９６】
図２８を参照すると、ステップ８８２において、プロセッサ５０２（安否情報登録処理部５０２４）は、安否確認対象者によって入力された避難状況に関する入力文字を受け付ける。ステップ８８４において、プロセッサ５０２（安否情報登録処理部５０２４）は、入力文字を、安否情報の避難状況として保存する。
【０１９７】
ステップ８８６において、プロセッサ５０２（安否情報登録処理部５０２４）は、入力された避難状況を含む避難状況メッセージを生成して、対応するＨＳＳ１６のＨＳＳアドレス宛てに送信する。
【０１９８】
ステップ８８８において、ＨＳＳ１６は、避難状況メッセージを受信して、避難状況メッセージ中の避難状況を、無線端末５６に関する安否情報の一部として保存する。このようにして、無線端末５６は、対応するＨＳＳ１６に、安否確認対象者としての加入者の避難状況を安否情報の一部として登録することができる。
【０１９９】
図２９は、ＨＳＳ１６によって実行される安否通知メッセージの送信のための処理のフローチャートの例を示している。図２９の処理は、例えば１分毎に周期的に実行されてもよい。
【０２００】
ステップ８９２において、ＨＳＳ１６のプロセッサ１０２（安否情報管理部１０２４）は、加入者データにおいて、ＨＳＳ１６の自ＨＳＳアドレスを送信元とする安否通知への参加（安否通知参加）が設定されているかどうかを判定する。自ＨＳＳアドレスを送信元とする安否通知への参加が“有”と設定されていると判定された場合、手順はステップ８９４に進む。自ＨＳＳアドレスを送信元とする安否通知への参加が“無”と設定されていると判定された場合、安否通知メッセージは送信されず、手順は図２９のルーチンを出る。
【０２０１】
ステップ８９４において、プロセッサ１０２（安否情報管理部１０２４）は、安否確認対象者の無線端末５６の加入者データ中の安否情報を含む安否通知メッセージを生成して安否通知グループ宛てにマルチキャストで送信する。ここで、安否情報は、安否確認対象者の位置情報、避難状況、他者安比参照およびタイムスタンプを含んでいる。その後、手順は図２９のルーチンを出る。
【０２０２】
このようにして、ＨＳＳ１６は、無線端末５６を所持する安否確認対象者の安否情報を、この安否確認対象者を他者安否情報テーブル中に含んでいる安否確認者のＨＳＳ１１および１２にマルチキャストで送信することができる。他のＨＳＳ１４、１５、１７、１９も、ＨＳＳ１６と同様に動作して、無線端末５４、５５、５７および５９を所持する安否確認対象者の安否情報を、安否確認者のＨＳＳ１１〜１３に送信することができる。
【０２０３】
図３０は、安否通知メッセージの受信時にＨＳＳ１１または組織Ｘのサーバ２１によって実行される、安否通知メッセージの受信時に安否通知グループから離脱するかどうかを判定するための判定処理のフローチャートの例を示している。
【０２０４】
図３０を参照すると、ステップ９０４において、ＨＳＳ１１またはサーバ２１のプロセッサ１０２（安否情報管理部１０２４）は、受信した安否通知メッセージの安否情報を保存する。その際、プロセッサ１０２（安否情報管理部１０２４）は、受信した安否通知メッセージの送信元アドレスに対応する、他者安否情報テーブル中のレコードに、安否通知メッセージの安否情報を保存する。ここで、安否情報は、安否確認対象者の位置情報、避難状況、他者安比参照およびタイムスタンプを含んでいる。他者安否情報テーブルは、図１３に例示されている。
【０２０５】
ステップ９０６において、プロセッサ１０２（安否情報管理部１０２４）は、安否情報の状態が、安否通知離脱条件に一致するかどうかを判定する。安否情報の状態は、位置情報、避難状況および他者安否参照を含んでいる。安否通知離脱条件は、図１４Ａおよび１４Ｂに例示されている。安否情報の状態が安否通知離脱条件に一致すると判定された場合は、手順はステップ９０８に進む。安否情報の状態が安否通知離脱条件に一致しないと判定された場合は、手順は図３０のルーチンを出る。
【０２０６】
ステップ９０８において、プロセッサ１０２（安否情報管理部１０２４）は、安否通知メッセージの送信元アドレスをマルチキャスト・アドレス・レコードに含む安否通知離脱メッセージを、ネットワーク５にマルチキャストで送信する。それによって、ＨＳＳ１１またはサーバ２１は、安否通知グループから離脱することができる。一方、ＨＳＳ１１またはサーバ２１が安否通知グループから離脱しても、無線端末５１または端末装置６０は、ＨＳＳ１１またはサーバ２１の他者安否情報にアクセスすることができる。
【０２０７】
図３１は、ＨＳＳ１６によって実行される、安否通知離脱メッセージの受信時の処理のフローチャートの例を示している。図３１の処理は、例えば１分毎の周期で実行されてもよい。
【０２０８】
図３１を参照すると、ステップ９１２において、ＨＳＳ１６のプロセッサ１０２（安否情報管理部１０２４）は、受信した安否通知離脱メッセージのマルチキャスト・アドレス・レコード中に自己のＨＳＳアドレスがあるかどうかを判定する。自己のＨＳＳアドレスがあると判定された場合は、手順はステップ９１４に進む。自己のＨＳＳアドレスがないと判定された場合は、手順は図３１のルーチンを出る。
【０２０９】
ステップ９１４において、プロセッサ１０２（安否情報管理部１０２４）は、自己のＨＳＳアドレスを送信元とする安否通知参加の有無に“無”を設定する。その後、手順は図３１のルーチンを出る。
【０２１０】
図３２は、無線端末５１または５６および端末装置６０によって実行される、他者安否参照のための処理のフローチャートの例を示している。
【０２１１】
図３２を参照すると、ステップ９２２において、無線端末５１または５６のプロセッサ５０２（またはその安否情報参照部５０２６）は、安否確認者の操作に従って、他者安否確認メッセージを生成して、対応するＨＳＳ１１または１６に送信する。端末装置６０は、同様に、安否確認者の操作に従って、他者安否確認メッセージを生成してサーバ２１に送信する。
【０２１２】
ステップ９２４において、ＨＳＳ１１または１６のプロセッサ１０２（安否情報管理部１０２４）は、他者安否参照メッセージの受信に応答して、他者安否情報を含む応答メッセージを生成して無線端末５１または５６に送信する。同様に、サーバ２１は、他者安否情報を含む応答メッセージを生成して、端末装置６０に送信する。
【０２１３】
ステップ９２６において、ＨＳＳ１１または１６のプロセッサ１０２（安否情報管理部１０２４）は、加入者データ中の安否情報の他者安否参照に“実施”を設定する。
【０２１４】
ステップ９２８において、無線端末５１または５６のプロセッサ５０２（安否情報参照部５０２６）は、応答メッセージを受信する。ステップ９３０において、プロセッサ５０２（安否情報参照部５０２６）は、応答メッセージ中の他者安否情報を無線端末５１〜５９の表示部５１２に表示する。他者安否情報のテーブルは図１３に例示されている。端末装置６０は、同様に、応答メッセージを受信して、応答メッセージ中の他者安否情報を端末装置６０に表示する。
【０２１５】
図３３Ａおよび３３Ｂは、図９Ａの送受信シーケンスにおける時間Ｔ１での、安否確認対象者の無線端末ａ１〜ａ３、ｃ１、ｃ２、ＨＳＳ Ａ１〜Ａ３、Ｃ１、Ｃ２、Ａ１〜Ａ３、および組織ＸのサーバＸのデータの例を示している。
【０２１６】
図９Ａの最初の時間Ｔ０において、安否確認対象者の無線端末ｂ１〜ｂ３の電源はオン状態にあり、安否確認対象者の無線端末ｃ１およびｃ２の電源はオフ状態にある。従って、図３３Ａにおいて、無線端末ｂ１〜ｂ３にそれぞれの中継ＡＰ識別子として“ＡＰ＃ｂ１”、“ＡＰ＃α”、“ＡＰ＃δ”が設定されているが、無線端末ｂ１〜ｂ３には中継ＡＰ識別子が設定されていない。一方、無線端末ｂ１〜ｂ３、ｃ１およびｃ２が登録されたそれぞれのＨＳＳ Ｂ１〜Ｂ３、Ｃ１およびＣ２は、図９Ａのステップ６０４〜６１０で安否通知参加メッセージを受信したので、安否通知参加の有無は“有”に設定されている（破線）。
【０２１７】
安否確認者の無線端末ａ１〜ａ３（端末識別子：Ｔ＃ａ１〜Ｔ＃ａ３）が登録されたＨＳＳ Ａ１〜Ａ３（ＨＳＳ識別子：Ｈｏｍｅ＃Ａ１〜Ｈｏｍｅ＃Ａ３）および組織ＸのサーバＸは、図９Ａのステップ６０４〜６１０で安否確認参加メッセージを送信した。従って、図３３Ｂにおいて、安否確認者の無線端末ａ１のＨＳＳ Ａ１では、安否確認対象者Ｂ２、Ｃ１、Ｃ２の他者安否情報に関する通知受信表示は“受信中”である。同様に、安否確認者Ａ２の無線端末ａ２のＨＳＳ Ａ２では、安否確認対象者Ｂ１、Ｂ２、Ｃ１の他者安否情報に関する各通知受信表示は“受信中”である。同様に、安否確認者Ａ３の無線端末ａ３のＨＳＳ Ａ３では、安否確認対象者Ｂ３の他者安否情報に関する通知受信表示は“受信中”である。同様に、組織Ｘの端末装置ａ４が接続するサーバＸでは、安否確認対象者Ｂ１の他者安否情報に関する通知受信表示は“受信中”である。
【０２１８】
図３４Ａおよび３４Ｂは、図９Ａの送受信シーケンスにおける時間Ｔ２での、安否確認対象者の無線端末ａ１〜ａ３、ｃ１、ｃ２、ＨＳＳ Ａ１〜Ａ３、Ｃ１、Ｃ２、Ａ１〜Ａ３、および組織ＸのサーバＸのデータの例を示している。
【０２１９】
安否確認対象者の無線端末ｂ１〜ｂ３は、図９Ａのステップ６２２、６２６、６３０で位置登録メッセージをそれぞれのＨＳＳ Ｂ１〜Ｂ３に送信した。従って、図３４ＡのＨＳＳ Ｂ１〜Ｂ３に、中継ＡＰ識別子“ＡＰ＃ｂ１”、“ＡＰ＃α”、“ＡＰ＃δ”がそれぞれ設定されている（破線）。また、ＨＳＳ Ｂ１〜Ｂ３は、ステップ６２４、６２５等でサーバ２に震度を問い合わせ、無線端末ｂ１〜ｂ３の位置が被災区域外および被災区域内であると判定した。従って、図３４ＡのＨＳＳ Ｂ１〜Ｂ３に、それぞれ位置情報“被災区域外”、“被災区域内（震度３）”、“被災区域内（震度２）”が設定されている（破線）。
【０２２０】
図３５Ａおよび３５Ｂは、図９Ｂの送受信シーケンスにおける時間Ｔ３での、安否確認対象者の無線端末ａ１〜ａ３、ｃ１、ｃ２、ＨＳＳ Ａ１〜Ａ３、Ｃ１、Ｃ２、Ａ１〜Ａ３、および組織ＸのサーバＸのデータの例を示している。
【０２２１】
ＨＳＳ Ａ１〜Ａ３およびサーバＸは、図９Ｂのステップ６４２、および６４６〜６５２で安否通知メッセージを受信した。従って、図３５ＢのＨＳＳ Ａ１において、ＨＳＳ Ｂ２、Ｃ１およびＣ２の位置情報に“被災区域内（震度３）”、“（不明）”および“（不明）”が設定されている（破線）。同様に、ＨＳＳ Ａ２において、ＨＳＳ Ｂ１、Ｂ２およびＣ１の位置情報に“被災区域外”、“被災区域内（震度３）”および“（不明）”が設定されている（破線）。同様に、ＨＳＳ Ａ３において、ＨＳＳ Ｂ３の位置情報に“被災区域内（震度２）”が設定されている（破線）。同様に、サーバＸにおいて、ＨＳＳ Ｂ１の位置情報に“被災区域外”が設定されている（破線）。サーバＸは、ステップ６４４で安否通知離脱メッセージを送信したので、通知受信表示が“停止中”に変更されている（破線）。一方、図３５Ａは図３４Ａと同様で変化がない。
【０２２２】
図３６Ａおよび３６Ｂは、図１０Ａの送受信シーケンスにおける時間Ｔ４〜Ｔ５での、安否確認対象者の無線端末ａ１〜ａ３、ｃ１、ｃ２、ＨＳＳ Ａ１〜Ａ３、Ｃ１、Ｃ２、Ａ１〜Ａ３、および組織ＸのサーバＸのデータの例を示している。
【０２２３】
図３６Ａにおいて、安否確認対象者の無線端末ｃ１およびｃ２の電源はオン状態に変更されている（破線）。安否確認対象者の無線端末ｃ１およびｃ２は、図１０Ａのステップ６６２、６６６で位置登録メッセージをそれぞれのＨＳＳ Ｃ１およびＣ２に送信した。従って、図３６ＡのＨＳＳ Ｃ１およびＣ２に、中継ＡＰ識別子“ＡＰ＃ｃ１”および“ＡＰ＃β”がそれぞれ設定されている（破線）。また、ＨＳＳ Ｃ１およびＣ２は、ステップ６６４、６６５等でサーバ２に震度を問い合わせ、無線端末ｃ１およびｃ２の位置が被災区域外および被災区域内であると判定した。従って、図３６ＡのＨＳＳ Ｃ１およびＣ２に、それぞれ位置情報“被災区域外”、“被災区域内（震度５）”が設定されている（破線）。
【０２２４】
無線端末ｂ１は、図１０Ａのステップ６７０〜６７１でＨＳＳ Ｂ１の他者安否情報を参照したので、図１０ＡのＨＳＳ Ｂ１に他者安否参照“実施”が設定されている（破線）。また、ＨＳＳ Ｂ１は、ステップ６８４で安否通知離脱メッセージをＨＳＳ Ａ２から受信したので、図１０ＡのＨＳＳ Ｂ１の安否通知参加の有無が“無”に変更されている（破線）。
【０２２５】
ＨＳＳ Ａ１〜Ａ３は、ステップ６８２、６８８〜６９２でＨＳＳ Ｂ１〜Ｂ３、Ｃ１およびＣ２から安否通知メッセージを受信した。従って、図３６ＢのＨＳＳ Ａ１において、ＨＳＳ Ｃ１およびＣ２の位置情報がそれぞれ“被災区域外”および“被災区域内（震度５）”に変更されている（破線）。同様に、図３６ＢのＨＳＳ Ａ２において、ＨＳＳ Ｃ１の位置情報が“被災区域外”に変更されている（破線）。また、無線端末ｂ１はステップ６７０〜６７１で他者安否情報を参照したので、図３６ＢのＨＳＳ Ａ２において、ＨＳＳ Ｂ１の他者安否参照に“実施”が設定されている（破線）。
【０２２６】
ＨＳＳ Ａ２は、ステップ６８４で安否通知離脱メッセージを送信したので、図３６ＢのＨＳＳ Ａ２において、ＨＳＳ Ｂ１の通知受信表示が“停止中”に変更されている（破線）。
【０２２７】
図３７Ａおよび３７Ｂは、図１０Ｂおよび１０Ｃの送受信シーケンスにおける時間Ｔ６〜Ｔ７での、安否確認対象者の無線端末ａ１〜ａ３、ｃ１、ｃ２、ＨＳＳ Ａ１〜Ａ３、Ｃ１、Ｃ２、Ａ１〜Ａ３、および組織ＸのサーバＸのデータの例を示している。
【０２２８】
無線端末ｂ２はステップ７０４で避難状況をＨＳＳ Ｂ２に登録したので、図３７ＡのＨＳＳ Ｂ２に、避難状況“避難完了”が設定されている（破線）。また、無線端末ｂ３はステップ７０６で位置登録メッセージをＨＳＳ Ｂ３に送信したので、図３７ＡのＨＳＳ Ｂ３において中継ＡＰ識別子が“ＡＰ＃ｂ３”に変更されている（破線）。また、ＨＳＳ Ｂ３は、ステップ７０８〜７０９でサーバ２に震度を問い合わせ、無線端末ｂ３の位置が被災区域外であると判定したので、ＨＳＳ Ｂ３において位置情報が“被災区域内（震度２）”から“被災区域脱出”に変更されている（破線）。
【０２２９】
また、無線端末ｃ１はステップ７１０〜７１１でＨＳＳ Ｃ１の他者安否情報を参照したので、図３７ＡのＨＳＳ Ｃ１において他者安否参照“実施”が設定されている。
【０２３０】
ＨＳＳ Ｂ２は、ステップ７２４〜７２６でＨＳＳ Ａ２およびＡ３から安否通知離脱メッセージを受信したので、図３７ＡのＨＳＳ Ｂ２において安否通知参加の有無が“無”に変更されている（破線）。また、ＨＳＳ Ｂ３は、ステップ７３０でＨＳＳ Ａ３から安否通知離脱メッセージを受信したので、図３７ＡのＨＳＳ Ｂ３において安否通知参加の有無が“無”に変更されている（破線）。また、ＨＳＳ Ｃ１は、ステップ７３４〜７３６でＨＳＳ Ａ１およびＡ２から安否通知離脱メッセージを受信したので、図３７ＡのＨＳＳ Ｃ１において安否通知参加の有無が“無”に変更されている（破線）。
【０２３１】
ＨＳＳ Ａ１〜Ａ３は、ステップ７２２、７２８、７３２、７３８でＨＳＳ Ｂ２、Ｂ３、Ｃ１およびＣ２から安否通知メッセージを受信した。従って、図３７ＢのＨＳＳ Ａ１において、ＨＳＳ Ｂ２の避難状況が“避難完了”に変更され、ＨＳＳ Ｃ１の他者安否参照が“実施”に変更されている（破線）。同様に、ＨＳＳ Ａ２でも、ＨＳＳ Ｂ２の避難状況が“避難完了”に変更され、ＨＳＳ Ｃ１の他者安否参照が“実施”に変更されている（破線）。
【０２３２】
また、ＨＳＳ Ａ１およびＡ２は、ステップ７２４〜７２６でＨＳＳ Ｂ２に安否通知離脱メッセージを送信したので、図３７ＢのＨＳＳ Ａ１およびＡ２において、ＨＳＳ Ｂ２の通知受信表示が“停止中”に変更されている（破線）。また、ＨＳＳ Ａ１およびＡ２は、ステップ７３４〜７３６でＨＳＳ Ｃ１に安否通知離脱メッセージを送信したので、図３７ＢのＨＳＳ Ａ１およびＡ２において、ＨＳＳ Ｃ１の通知受信表示が“停止中”に変更されている（破線）。
【０２３３】
また、ＨＳＳ Ａ３は、ステップ７２８でＨＳＳ Ｂ３から安否通知メッセージを受信したので、図３７ＢのＨＳＳ Ａ３において、ＨＳＳ Ｂ３の位置情報が“被災区域脱出”に変更されている（破線）。ＨＳＳ Ａ３は、ステップ７３０でＨＳＳ Ｂ３に安否通知離脱メッセージを送信したので、図３７ＢのＨＳＳ Ａ３において、ＨＳＳ Ｂ３の通知受信表示が“停止中”に変更されている（破線）。
【０２３４】
図３８Ａおよび３８Ｂは、図１０Ｄの送受信シーケンスにおける時間Ｔ８〜Ｔ９での、安否確認対象者の無線端末ａ１〜ａ３、ｃ１、ｃ２、ＨＳＳ Ａ１〜Ａ３、Ｃ１、Ｃ２、Ａ１〜Ａ３、および組織ＸのサーバＸのデータの例を示している。
【０２３５】
ステップ７４８で無線端末ｃ２が位置登録メッセージをＨＳＳ Ｃ２に送信したので、図３８ＡのＨＳＳ Ｃ２において、中継ＡＰ識別子が“ＡＰ＃γ”に変更されている（破線）。また、ＨＳＳ Ｃ２は、無線端末ｃ２の位置登録メッセージを受信し、ステップ７５０〜７５１でサーバ２に震度を問い合わせ、無線端末ｃ２の位置情報が“被災区域内（震度３）移動”に変更されている（破線）。
【０２３６】
ＨＳＳ Ａ１は、ステップ７６２でＨＳＳ Ｃ２から安否通知メッセージを受信した。従って、図３８ＢのＨＳＳ Ａ１において、ＨＳＳ Ｃ２の位置情報が“被災区域内（震度３）移動”に変更されている（破線）。また、図３８ＢのＨＳＳ Ａ３において、その後のＨＳＳ Ｂ３からの安否メッセージの受信によって、ＨＳＳ Ｂ３の他者安否参照が“実施”に変更されている（破線）。
【０２３７】
上述のように、実施形態によれば、安否確認者のＨＳＳ１１〜１３からそれぞれの安否確認対象者のＨＳＳ１４〜１９への安否通知参加メッセージが、ネットワーク５にマルチキャストで送信される。また、安否確認対象者のＨＳＳ１４〜１９から安否確認者のＨＳＳ１１〜１３への安否通知メッセージが、安否通知グループ宛てにマルチキャストで送信される。従って、ＨＳＳ１１〜１３は、ＨＳＳ１４〜１９への接続に失敗して接続を繰り返し試行することがない。また、安否通知参加メッセージが複数のＨＳＳ１４〜１９に分散されて送信され、複数のＨＳＳ１４〜１９から分散して各安否通知メッセージが送信されるので、特定のＨＳＳに接続が集中することが防止できる。従って、接続の集中および再試行に起因するネットワーク５のトラフィックの増大が抑制でき、ネットワーク５の輻輳の発生を抑制することが可能である。
【０２３８】
ここで挙げた全ての例および条件的表現は、発明者が技術促進に貢献した発明および概念を読者が理解するのを助けるためのものであり、ここで具体的に挙げたそのような例および条件に限定することなく解釈され、また、明細書におけるそのような例の編成は本発明の優劣を示すこととは関係ない、と理解される。本発明の実施形態を詳細に説明したが、本発明の精神および範囲から逸脱することなく、それに対して種々の変更、置換および変形を施すことができる、と理解される。
【０２３９】
以上の実施例を含む実施形態に関して、さらに以下の付記を開示する。
（付記１）災害情報の受信後の無線端末からの位置登録信号に応答して被災に関する前記無線端末の位置情報を含む前記無線端末の安否情報を生成し、前記安否情報をマルチキャスト・グループ宛てにマルチキャストで送信する第１の情報処理装置と、
前記災害情報の受信に応答して、前記第１の情報処理装置のアドレスに基づくマルチキャスト配信への参加信号を送信する第２の情報処理装置と、
を含む通信システム。
（付記２）前記第２の情報処理装置は、前記安否情報を受信して記憶し、別の端末からの要求に応答して前記安否情報を前記別の端末に送信するものであることを特徴とする、付記１に記載の通信システム。
（付記３）前記位置情報は、前記無線端末の位置が被災区域内に位置するかどうかを示す情報を含むものであることを特徴とする、付記１または２に記載の通信システム。
（付記４）前記第１の情報処理装置は、前記無線端末との通信を中継する無線基地局の近隣の測定位置における災害の大きさを、他の装置から受信して、区域毎の前記災害の大きさに応じて被災区域を決定するものであることを特徴とする、付記３に記載の通信システム。
（付記５）前記安否情報は、前記無線端末から受信した避難情報を含むものであることを特徴とする、付記１乃至４のいずれかに記載の通信システム。
（付記６）前記安否情報は、前記無線端末による前記第１の情報処理装置における別の安否情報へのアクセスの有無を含むものであることを特徴とする、付記１乃至５のいずれかに記載の通信システム。
（付記７）前記第２の情報処理装置は、受信した前記安否情報において、前記無線端末の位置が被災区域外に位置することが示され、任意に前記無線端末による別の安否情報へのアクセスがあったことが示されている場合、または入力された避難情報が存在する場合に、前記マルチキャスト配信からの離脱信号を送信するものであることを特徴とする、付記１乃至６のいずれかに記載の通信システム。
（付記８）コンピュータが、
災害情報の受信に応答して、別の情報処理装置のアドレスに基づくマルチキャスト配信への参加信号を送信し
前記災害情報の受信後の無線端末からの位置登録信号に応答して被災に関する前記無線端末の位置情報を含む前記無線端末の安否情報を生成し、前記安否情報をマルチキャスト・グループ宛てにマルチキャストで送信する
処理を実行する通信方法。
（付記９）第１の情報処理装置が、災害情報の受信後の無線端末からの位置登録信号に応答して被災に関する前記無線端末の位置情報を含む前記無線端末の安否情報を生成し、前記安否情報をマルチキャスト・グループ宛てにマルチキャストで送信し、
第２の情報処理装置が、前記災害情報の受信に応答して、前記第１の情報処理装置のアドレスに基づくマルチキャスト配信への参加信号を送信する
処理を実行する通信方法。
【符号の説明】
【０２４０】
１  通信システム
７  被災区域
５  ネットワーク
２  災害警報用のサーバ
２６、２８  ルータ
１１〜１９  ホーム加入者サーバ（ＨＳＳ）
２１  組織用のサーバ
３１〜４０  無線基地局
５１〜５９  無線端末
６０  端末装置
【図１】
0006459625.tif 000002
【図２】
0006459625.tif 000003
【図３】
0006459625.tif 000004
【図４】
0006459625.tif 000005
【図５】
0006459625.tif 000006
【図６】
0006459625.tif 000007
【図７】
0006459625.tif 000008
【図８】
0006459625.tif 000009
【図９Ａ】
0006459625.tif 000010
【図９Ｂ】
0006459625.tif 000011
【図１０Ａ】
0006459625.tif 000012
【図１０Ｂ】
0006459625.tif 000013
【図１０Ｃ】
0006459625.tif 000014
【図１０Ｄ】
0006459625.tif 000015
【図１１】
0006459625.tif 000016
【図１２】
0006459625.tif 000017
【図１３】
0006459625.tif 000018
【図１４】
0006459625.tif 000019
【図１５】
0006459625.tif 000020
【図１６】
0006459625.tif 000021
【図１７】
0006459625.tif 000022
【図１８】
0006459625.tif 000023
【図１９】
0006459625.tif 000024
【図２０】
0006459625.tif 000025
【図２１】
0006459625.tif 000026
【図２２】
0006459625.tif 000027
【図２３】
0006459625.tif 000028
【図２４】
0006459625.tif 000029
【図２５】
0006459625.tif 000030
【図２６】
0006459625.tif 000031
【図２７Ａ】
0006459625.tif 000032
【図２７Ｂ】
0006459625.tif 000033
【図２８】
0006459625.tif 000034
【図２９】
0006459625.tif 000035
【図３０】
0006459625.tif 000036
【図３１】
0006459625.tif 000037
【図３２】
0006459625.tif 000038
【図３３Ａ】
0006459625.tif 000039
【図３３Ｂ】
0006459625.tif 000040
【図３４Ａ】
0006459625.tif 000041
【図３４Ｂ】
0006459625.tif 000042
【図３５Ａ】
0006459625.tif 000043
【図３５Ｂ】
0006459625.tif 000044
【図３６Ａ】
0006459625.tif 000045
【図３６Ｂ】
0006459625.tif 000046
【図３７Ａ】
0006459625.tif 000047
【図３７Ｂ】
0006459625.tif 000048
【図３８Ａ】
0006459625.tif 000049
【図３８Ｂ】
0006459625.tif 000050